(57)【要約】とりわけ、本発明は、問題に対する解決策を提供し、特に、本発明は、比色アッセイの感度、速度、および使いやすさを改善する手段を提供する。【選択図】なし【特許請求の範囲】
【請求項１】
いくつかの実施形態では、デバイスは、
第１のプレートと、第２のプレートと、スペーサと、光散乱層と、を備え、
ｉ．第１および第２のプレートが、異なる構成へと互いに相対的に移動可能であり、そのそれぞれの内表面上に、分析物を含む試料と接触するための試料接触領域を有し、
ｉｉ．プレートの一方または両方が可撓性であり、
ｉｉｉ．第１のプレートが光を透過し、
ｉｖ．第２のプレートが、光を実質的に反射し、かつ粗いトポロジーを有する光散乱層の内表面を備え、
構成の１つが開放構成であり、開放構成では、２つのプレートの内表面間の平均間隔が少なくとも２００ｕｍであり、試料がプレートの一方または両方に付着し、
別の構成が、開放構成において試料が付着した後に構成される閉鎖構成であり、閉鎖構成では、試料の少なくとも一部は２つのプレート間にあり、プレートの内表面間の平均間隔は２００ｕｍ未満であり、
閉鎖構成では、光散乱層は、２つのプレートの内表面間のプローブ光の捕捉を増強する。
【請求項２】
いくつかの実施形態では、デバイスにおいて、第２のプレートの光散乱表面は、以下を含む：
ｉ．テクスチャ表面は、限定されないが、凸凹がある波状のざらざらした表面であってよい、
ｉｉ．テクスチャ表面が、周期的または非周期的であってよい、
ｉｉｉ．テクスチャ表面の平均粗さ範囲が、限定されないが、２ｕｍ〜５ｕｍであることが好ましい、または
ｉｖ．スペーサが、第１のプレートの内表面に固定され、かつ所定の均一な高さを有する、および
ｖ．それらの組み合わせ。
【請求項３】
Ｃ１．光散乱層が、少なくとも５０％、６０％、７０％、８０％、９０％、１００％、またはいずれかの２つの値間の範囲内の反射率を有する非常に反射性の不透明な白色材料で作られていてもよい、先行する実施形態のいずれかに記載のデバイスまたはシステム。
【請求項４】
Ｃ２．光散乱表面の反射スペクトルが、３００ｎｍ〜１０００ｎｍの範囲内である、先行する実施形態のいずれかに記載のデバイスまたはシステム。
【請求項５】
Ｃ３．光散乱層が、半透明の白色材料で作られていてもよく、透過率が、１０％〜３０％である、先行する実施形態のいずれかに記載のデバイスまたはシステム。
【請求項６】
Ｃ４．光散乱層が反射金属膜で作られていてもよく、光散乱層が不透明な白色誘電体膜で作られていてもよい、先行する実施形態のいずれかに記載のデバイスまたはシステム。
【請求項７】
Ｃ５．光散乱層が、０．５ｕｍ〜２００ｕｍのＲａ（算術平均粗さ）、＞０．５ｕｍのＲｓｍ（凹凸の平均間隔）、および＞０．１のＲΔａ（プロファイルの平均勾配）を有するテクスチャ表面を有する、先行する実施形態のいずれかに記載のデバイスまたはシステム。
【請求項８】
Ｃ６．テクスチャ表面が、周期的または非周期的であってよく、テクスチャ表面上の単一の特徴の形状が、限定されないが、正方形、三角形、鋭角であってよい、先行する実施形態のいずれかに記載のデバイスまたはシステム。
【請求項９】
Ｃ７．スペーサの高さが、テクスチャ表面の平均粗さよりも大きく、かつ２００ｕｍよりも小さい、デバイス、またはシステム、または実施形態Ｃ５。
【請求項１０】
図１−Ａは、開いた状態の比色アッセイ試料カード１の概略図である。試料カード１は、上部プレート１２、底部プレート１１、およびアルミニウムヒンジ１３を備える。ヒンジ１３は、上部プレート１２を下部プレート１３に取り付ける。
【発明の詳細な説明】
【技術分野】
【０００１】
相互参照
この出願は、２０１７年２月９日に出願された米国仮出願第６２／４５７，１３３号、２０１７年２月９日に出願された米国仮出願第６２／４５７，１０３号、２０１７年２月１５日に出願された米国仮出願第６２／４５９，５７７号、２０１７年２月１６日に出願された米国仮出願第６２／４６０，０８８号、２０１７年２月１８日に出願された米国仮出願第６２／４６０，７５７号、および２０１７年１０月２６日に出願された米国仮出願第６２／５７７，５１３号（すべての目的のためにそれらの全体が参照により本明細書に組み込まれる）の利益を主張する。
【０００２】
分野
とりわけ、本発明は、生物学的および化学的アッセイを行うデバイスおよび方法、比色アプローチを使用して生物学的および化学的アッセイを行うデバイスおよび方法に関する。
【背景技術】
【０００３】
背景
比色アッセイは、生／化学試験で広く使用されているアッセイである。しかしながら、試料の厚さが非常に薄い場合（例えば、１００ｕｍ（ミクロン）以下）、色が非常に薄らぎ、観察が困難になり、比色アッセイの感度が制限される。とりわけ、本発明は、問題に対する解決策を提供し、特に、本発明は、比色アッセイの感度、速度、および使いやすさを改善する手段を提供する。
【発明の概要】
【０００４】
【図面の簡単な説明】
【０００５】
当業者は、以下に記載される図面が単に例示目的のためであることを理解するであろう。図面は、決して本教示の範囲を限定することを意図していない。図面は全体的に縮尺どおりではない。実験データ点を提示する図では、データ点をつなぐ線は、単にデータの表示を示すためのものであり、他の意味はない。
【０００６】
【図１−Ａ】本発明の実施形態による、底部プレート、上部プレート、およびアルミニウムヒンジを備える、開いた状態の組み立てられた比色アッセイ試料カードの例を図示する。
【図１−Ｂ】本発明の実施形態による、上面にテクスチャ微細構造を有する比色アッセイ試料カードの底部プレートの例を図示する。
【図１−Ｃ】本発明の実施形態による、上面にテクスチャ微細構造を有する比色アッセイ試料カードの底部プレートの例を図示する。
【図１−Ｄ】本発明の実施形態による、底面上に均一な高さの柱アレイを有する比色アッセイ試料カードの上部プレートの例を図示する。
【図１−Ｅ】本発明の実施形態による、底面上に均一な高さの柱アレイを有する比色アッセイ試料カードの上部プレートの例を図示する。
【図１−Ｆ】本発明の実施形態による、底部プレート、上部プレート、アルミニウムヒンジ、および上部プレートと底部プレートとの間の試料液を含む、すぐに試験できる比色アッセイ試料カードの例を図示する。
【図１−Ｇ】本発明の実施形態による、底部プレート、上部プレート、アルミニウムヒンジ、および上部プレートと底部プレートとの間の試料液を含む、すぐに試験できる比色アッセイ試料カードの例を図示する。
【図２−Ａ】ファイバの側面照明を使用したテクスチャ表面を有する試料の比色測定の試験装置を図示する。
【図２−Ｂ】ファイバのリング照明を使用したテクスチャ表面を有する試料の比色測定の試験装置を図示する。
【図２−Ｃ】ファイバのリング照明を使用したテクスチャ表面を有する試料の比色測定の試験装置を図示する。
【図２−Ｄ】ファイバのリング照明を使用したテクスチャ表面を有する試料の比色測定の試験装置を図示する。
【図３】ＣＲＯＦ（圧縮調節オープンフロー）実施形態の図である。パネル（ａ）は、第１のプレートがスペーサを有する、第１のプレートおよび第２のプレートを図示する。パネル（ｂ）は、開放構成での、第１のプレート（図示する）、または第２のプレート（図示せず）、または両方（図示せず）への試料の付着を図示する。パネル（ｃ）は、（ｉ）２つのプレートを使用して試料を広げ（試料はプレート間に流れる）、試料の厚さを低減すること、および（ｉｉ）スペーサおよびプレートを使用して、閉鎖構成で試料の厚さを調節することを図示する。各プレートの内表面は、１つもしくは複数の結合部位およびまたは収容部位（図示せず）を有してもよい。
【図４】水中の重金属を試験するプロセスの図である。
【図５−Ａ】重金属試験に使用する試験プレートの概略図である。
【図５−Ｂ】試験手順の概略図である。１．最初に、色指示薬およびｐＨ調節剤で印刷された各ウェルに微量の試料を添加する。２．次に、透明な第２のプレートをスペーサの上部に押圧し、閉じた試料チャンバを形成する。３．インキュベートして各個々の試料を発色させる。
【図６】水中の鉛の試験に使用される化学反応の図である。
【図７】水中の重金属の試験に使用される化学反応の図である。
【図８】個々のＲ、Ｇ、Ｂチャネルの比色水中鉛試験標準曲線を単一の標準曲線に変換する概略図である。
【図９】個々のＲ、Ｇ、Ｂチャネルの標準曲線を単一の標準曲線に変換するアルゴリズムの図である。
【図１０】単一の標準曲線に変換し、５−ＰＬロジスティックフィッティングを適合させた個々のＲ、Ｇ、Ｂチャネルの比色水中鉛試験標準曲線の例である。
【図１１】８つの異なる試験プレートの比色水中鉛感度の例である。
【図１２】水中鉛試験のアッセイ内、アッセイ間、および日毎のＣＶ％の表である。
【発明を実施するための形態】
【０００７】
以下の詳細な説明は、限定ではなく例として本発明のいくつかの実施形態を図示する。本明細書で使用されるセクションの見出しおよび任意のサブタイトルは、単に構成上の目的のためであり、決して説明される主題を限定するものとして解釈されるべきではない。セクションの見出しおよび／またはサブタイトル下の内容は、セクションの見出しおよび／またはサブタイトルに限定されず、本発明の説明全体に適用される。
【０００８】
いかなる公開物の引用も、出願日前のその開示のためであり、本特許請求の範囲が先行発明のためにそのような公開物に先行する権利がないことを認めるものと解釈されるべきではない。さらに、提供される公開日は実際の公開日とは異なる可能性があり、個別に確認する必要がある。
【０００９】
Ａ．テクスチャ反射表面を用いたＱＭＡＸ比色アッセイ
従来の比色アッセイは、小さな容器を使用して液体試料を保持し、試料に光ビームを通過させて試料の色を測定する。そのとき、試料は非常に薄く、色は薄らぎ、測定が困難になる。
【００１０】
本発明によると、チャンバの壁の１つが色信号を大幅に増加させることができるため、反射テクスチャ表面を使用することにより、比色アッセイの色信号を大幅に増加させることができることが観察された。
【００１１】
本発明によると、デバイスは、プレートを使用して試料を挟んで薄い層にし、プレートの一方は透明であり、他方のプレートは、その試料接触領域上にテクスチャ反射表面を有する。プローブ光は、透明なプレートから試料に入り、試料を通過し、テクスチャ表面により拡散反射されて透明なプレートに戻る。このような配置は、３０ｕｍ以下の薄い試料でも色信号を大幅に増加させることができることが観察された。
【００１２】
さらに、本発明によると、デバイスは、プレートの一方にコーティングされた乾燥試薬をさらに含むため、液体試料はプレートの一方または両方に滴下され、プレートを閉じた後に測定することができる。試料の厚さは１５０ｕｍ以下であってよく、乾燥試薬を短時間で試料と混合し、合計測定時間を高速化する。
【００１３】
いくつかの実施形態では、デバイスは、
第１のプレートと、第２のプレートと、スペーサと、光散乱層と、を備え、
ｉ．第１および第２のプレートが、異なる構成へと互いに相対的に移動可能であり、そのそれぞれの内表面上に、分析物を含む試料と接触するための試料接触領域を有し、
ｉｉ．プレートの一方または両方が可撓性であり、
ｉｉｉ．第１のプレートが光を透過し、
ｉｖ．第２のプレートが、光を実質的に反射し、粗いトポロジーを有する光散乱層の内表面を備え、
構成の１つが開放構成であり、開放構成では、２つのプレートの内表面間の平均間隔が少なくとも２００ｕｍであり、試料がプレートの一方または両方に付着し、
構成のもう１つが、開放構成において試料が付着した後に構成される閉鎖構成であり、閉鎖構成では、試料の少なくとも一部は２つのプレート間にあり、プレートの内表面間の平均間隔は２００ｕｍ未満であり、
閉鎖構成では、光散乱層は、２つのプレートの内表面間のプローブ光の捕捉を増強する。
【００１４】
いくつかの実施形態では、デバイスにおいて、第２のプレートの光散乱表面は、以下を含む：
ｉ．テクスチャ表面は、限定されないが、凸凹がある波状のざらざらした表面であってよい、
ｉｉ．テクスチャ表面が、周期的または非周期的であってよい、
ｉｉｉ．テクスチャ表面の平均粗さ範囲が、限定されないが、２ｕｍ〜５ｕｍであることが好ましい、
ｉｖ．スペーサが、第１のプレートの内表面に固定され、所定の均一な高さを有する、および
ｖ．それらの組み合わせ。
【００１５】
Ｃ１．光散乱層が、少なくとも５０％、６０％、７０％、８０％、９０％、１００％、またはいずれかの２つの値間の範囲内の反射率を有する非常に反射性の不透明な白色材料で作られていてもよい、先行する実施形態のいずれかに記載のデバイスまたはシステム。
【００１６】
Ｃ２．光散乱表面の反射スペクトルが、３００ｎｍ〜１０００ｎｍの範囲内である、先行する実施形態のいずれかに記載のデバイスまたはシステム。
【００１７】
Ｃ３．光散乱層が、半透明の白色材料で作られていてもよく、透過率が、１０％〜３０％である、先行する実施形態のいずれかに記載のデバイスまたはシステム。
【００１８】
Ｃ４．光散乱層が反射金属膜で作られていてもよく、光散乱層が不透明な白色誘電体膜で作られていてもよい、先行する実施形態のいずれかに記載のデバイスまたはシステム。
【００１９】
Ｃ５．光散乱層が、０．５ｕｍ〜２００ｕｍのＲａ（算術平均粗さ）、＞０．５ｕｍのＲｓｍ（凹凸の平均間隔）、および＞０．１のＲΔａ（プロファイルの平均勾配）を有するテクスチャ表面を有する、先行する実施形態のいずれかに記載のデバイスまたはシステム。
【００２０】
Ｃ６．テクスチャ表面が、周期的または非周期的であってよく、テクスチャ表面上の単一の特徴の形状が、限定されないが、正方形、三角形、鋭角であってよい、先行する実施形態のいずれかに記載のデバイスまたはシステム。
【００２１】
Ｃ７．スペーサの高さが、テクスチャ表面の平均粗さよりも大きく、かつ２００ｕｍよりも小さい、デバイス、またはシステム、または実施形態Ｃ５。
【００２２】
図１−Ａは、開いた状態の比色アッセイ試料カード１の概略図である。試料カード１は、上部プレート１２、底部プレート１１、およびアルミニウムヒンジ１３を備える。ヒンジ１３は、上部プレート１２を下部プレート１３に取り付ける。
【００２３】
ランダム散乱構造の高さは、１ｎｍ〜２００ｎｍ、１ｎｍ〜３００ｎｍ、および１ｎｍ〜１０００ｎｍである。
【００２４】
いくつかの実施形態では、反射表面は、同じサイズまたは異なるサイズのランダムなナノ粒子によって完了され得る。
【００２５】
いくつかの実施形態では、反射範囲は、５０％〜１００％、３０％〜１００％、および５０％〜８０％である。それらは、スペクトルが広帯域または狭帯域のいずれかである、
【００２６】
図１−Ｂおよび図１−Ｃは、それぞれ等角図および断面図から示される、試料カード１の底部プレート１１の概略図である。底部プレート１１の材料は非吸収性であり、不透明な白色を有する。それは、限定されないが、白色のポリエチレンであり得る。底部プレート１１は、その上面の１つ（すなわち、上部プレート１２に面する表面）にテクスチャ表面１１Ｓを有する。テクスチャ表面１１Ｓは、ランダムな微細構造または周期的な微細構造であり得る。ランダムな微細構造の場合、それは、限定されないが、凸凹がある、波状、またはざらざらした表面であってよい。一実施形態では、テクスチャ表面は、平均粗さが２〜３ｕｍの白色のポリスチレンシートのマット仕上げの凸凹がある表面である。周期的な微細構造の場合、それは、限定されないが、正方形、六角形、または他の格子の底部プレートの表面から突出した丸形、長方形、および三角形の柱であってよい。底部プレート１１の片側には、上部プレート１２を開けやすくするためのノッチ１１Ｎが製作されている。底部プレート１１の前面および底面を容易に区別するために、底部プレート１１の一角に三角形の隙間１１Ｃが制作されている。
【００２７】
図１−Ｄおよび図１−Ｅは、それぞれ等角図および断面図から示される、試料カード１の上部プレート１２の概略図である。上部プレートの材料は透明であり、限定されないが、ＰＭＭＡであり得る。上部プレートの底面（すなわち、下部プレート１１に面する表面）には、均一な高さの周期的なマイクロサイズの柱アレイ１２Ｓがある。柱アレイは、限定されないが、正方格子の長方形の柱であり得る。一実施形態では、上部プレートは厚さ１７５ｕｍのＰＭＭＡで作られ、柱アレイは１２０ｕｍ＊１１０ｕｍの周期の正方格子を有する。また、各柱は、３０ｕｍ＊４０ｕｍの寸法の長方形の形状を有し、柱の高さは３０ｕｍである。上部プレート１２の前面および底面を容易に区別するために、底部プレート１２の一角に三角形の隙間１２Ｃが制作されている。
【００２８】
図１−Ｆおよび図１−Ｇは、それぞれ等角図および断面図から示される、試料液を有する閉じた状態の比色アッセイ試料カード１の概略図である。試料液１Ｌは、上部プレート１２および底部プレート１１との間に埋め込まれている。底部プレート１１のテクスチャ表面１１Ｓは、柱アレイ１２Ｓを備えた上部プレート１２の底面に向いている。試料液１Ｌの平均液体層の厚さは均一であり、上部プレート１２上の柱アレイ１２Ｓの高さによって決定される。したがって、本発明における単位面積あたりの試料カード１に保持される試料液１Ｌの体積を正確に決定することができる。白色光の照明下で、底部プレート１１のテクスチャ表面１１Ｓは、光ビームを偏向させて、試料液層１Ｌ内の光路を増加させるのに役立つ。したがって、試料液１Ｌ中の着色化合物による光吸収が増加し、色の変化が増強される。
【００２９】
図２−Ａ、２−Ｂ、および２−Ｃは、比色カードを読み取るシステム１０、特にデバイス１３の詳細を示す概略図である。図１５−Ａは、デバイス１３の詳細を示す断面図である。そして、図１５−Ｂおよび図１５−Ｃは、デバイス１３内の光学素子の構成のみを示す概略図である。これらの図は、図１４を参照して上述された要素の機能を図示する。光源１Ｌから放射された光は、ファイバリング１３５の２つの端面から側面放射型光ファイバリング１３５に結合され、リングに沿って内部に進む。ビームＢ１は、ファイバリングの側壁から放出され、拡散膜１３６を通過する。ビームＢ１は、カメラ１Ｃの真下の比色試料カード１３８の試料領域を正面から照らし、均一な照明を作り出す。照らされた試料領域は、ビームＢ１の一部を吸収し、ビームＢ１をビームＢ２に反射する。ビームＢ２は、レンズ１３３によって収集され、カメラ１Ｃに入るレンズ１３３は、カメラ１Ｃの画像センサ平面上に試料領域の画像を作成する。スマートフォン１は、画像を取得して処理し、画像の色情報を分析して、比色アッセイの色の変化を定量化する。
【００３０】
試験装置は、デバイスと、光源と、光ファイバと、イメージャと、を備え、
−光源は、３００ｎｍ〜１０００ｎｍの波長範囲内の光を放射し、
−光源およびイメージャは、同じ平面上にあり、
−Ｑカードはイメージャの真下に配置され、それらの間の好ましい距離は１５ｍｍ〜２０ｍｍであり、
−光ファイバは、光源から放射された光を誘導して、カメラモジュールの真下の試料領域を照らし、
−光ファイバの一方の端面は、光源の開口部の下に配置され、それらの間の距離ができる限り小さく、１０ｍｍ以下であることが好ましく、
−光ファイバの直径は、光源の開口部の直径と等しいように構成され、
−光ファイバが取り付けられる傾斜角は、ファイバから放射される中心光ビームがカメラモジュールの真下の試料領域上を照らすように設定される。
【００３１】
試験装置は、デバイスと、光源と、リング形状の光ファイバと、イメージャと、を備え、
−光源は、３００ｎｍ〜１０００ｎｍの波長範囲内の光を放射し、
−リングファイバは、ファイバの壁からの光を出力結合することができる側面放射型光ファイバであり、
−リングファイバは、イメージャの周りの円の中にあり、
−Ｑカードはイメージャの真下に置かれ、それらの間の好ましい距離は１５ｍｍ〜２０ｍｍであり、
−光は、リング形状のファイバの側面から放射されて試料を照らし、
−リング形状の光ファイバの両端面は、光源の開口部の下に配置されており、
−リング形状のファイバと試料との間に光拡散体を配置して、リングファイバから放射される光を拡散させる。
【００３２】
Ｂ．スペーサ、ヒンジ、および開口ノッチ
生物学的および化学的アッセイ（すなわち、試験）では、アッセイ操作を簡素化する、またはアッセイ速度を加速するデバイスおよび／または方法は、多くの場合、非常に価値がある。
【００３３】
ＱＭＡＸ（Ｑ：定量化、Ｍ：拡大、Ａ：試薬の添加、Ｘ：加速、圧縮調節オープンフロー（ＣＲＯＦ）としても知られる）アッセイプラットフォームにおいて、ＱＭＡＸカードは、２つのプレートを使用して試料の形状を操作して薄い層にする（例えば、圧縮することにより）（図１に図示される）。ある特定の実施形態では、プレートの操作は、ヒトの手または他の外力によって２つのプレートの相対位置（プレート構成と呼ばれる）を数回変更する必要がある。手による操作を簡単かつ迅速にするように、ＱＭＡＸカードを設計する必要がある。
【００３４】
ＱＭＡＸアッセイでは、プレート構成の１つは開放構成であり、開放構成では、２つのプレートが完全または部分的に分離され（プレート間の間隔はスペーサによって制御されない）、試料が付着され得る。別の構成は閉鎖構成であり、開放構成において付着した試料の少なくとも一部が、２つのプレートによって非常に均一な厚さの層に圧縮され、層の均一な厚さが、プレートの内表面によって限定され、プレートおよびスペーサによって調節される。
【００３５】
ＱＭＡＸアッセイ操作では、オペレータは、多くの場合、制御された方法でアッセイ試薬を試料に添加する必要がある。例えば、いくつかの実施形態では、試薬（例えば、検出剤および結合剤）は、ＱＭＡＸデバイスのプレート表面上にコーティングされ、いくつかの試薬（例えば、検出剤）は、アッセイプロセス中、適切なタイミングで試料に放出される。他の多くの中で、場合によっては、結合剤による標的分析物の実質的な結合後に検出剤を添加することが望ましい。他の場合では、試料の薄膜の形成後に検出剤を添加することが望ましい。他の場合では、指定された期間だけ検出剤の添加を遅らせることが望ましい。本発明は、これらの目標を達成するとともに、生／化学センシング（限定されないが、イムノアッセイ、核酸アッセイ、電解質分析などを含む）を、現在のセンシング方法およびデバイスよりも速く、より高感度で、より少ないステップで、実施が簡単な、必要な試料の量がより少ない、専門家の支援の必要性がより少ないもしくは低減された（またはない）、および／またはコストがより低いデバイスおよび方法を提供することである。
【００３６】
「圧縮オープンフロー（ＣＯＦ）」という用語は、（ｉ）試料の少なくとも一部の上に他のプレートを設置し、（ｉｉ）次に２つのプレートを互いに向かって押して、２つのプレート間の試料を圧縮することにより、プレート上に付着した流動性試料の形状を変化させる方法を指し、圧縮は、試料の少なくとも一部の厚さを低減し、試料をプレート間の空いた空間に流れ込ませる。「圧縮調節オープンフロー」または「ＣＲＯＦ」（または「自己較正圧縮オープンフロー」または「ＳＣＯＦ」または「ＳＣＣＯＦ」）（ＱＭＡＸとしても知られる）という用語は、特定の種類のＣＯＦを指し、圧縮後の試料の一部または全体の最終的な厚さは、スペーサによって「調節」され、スペーサは２つのプレート間に設置される。ここで、ＣＲＯＦデバイスは、ＱＭＡＸデバイスと交換可能に使用される。
【００３７】
「スペーサ」または「ストッパ」という用語は、特に明記しない限り、２つのプレート間に設置された場合、２つのプレートを一緒に圧縮したときに達成され得る２つのプレート間の最小間隔に制限を設定する機械的物体を指す。すなわち、圧縮において、スペーサは２つのプレートの相対的な動きを停止させ、プレート間隔がプリセット（すなわち所定）値よりも小さくなるのを防ぐ。
【００３８】
「スペーサは所定の高さを有する」および「スペーサは所定のスペーサ間距離を有する」という用語は、それぞれ、ＱＭＡＸプロセスの前にスペーサの高さおよびスペーサ間距離の値が既知であることを意味する。ＱＭＡＸプロセスの前にスペーサの高さおよびスペーサ間距離の値がわからない場合には、予め決定されていない。例えば、ビーズがプレートのランダムな位置に着地する、ビーズがスペーサとしてプレート上に噴霧される場合、スペーサ間距離は予め決定されていない。スペーサ間距離が予め決定されていない別の例は、ＱＭＡＸプロセス中にスペーサが移動することである。
【００３９】
ＱＭＡＸプロセスにおいて「スペーサがそれぞれのプレートに固定される」という用語は、スペーサがプレートのある位置に取り付けられ、その位置への取り付けがＱＭＡＸプロセスの間維持される（つまり、それぞれのプレート上のスペーサの位置は変化しない）ことを意味する。「スペーサがそのそれぞれのプレートに固定されている」例は、スペーサがプレートの材料１つで一体に作られており、ＱＭＡＸプロセス中にプレート表面に対するスペーサの位置が変化しないことである。「スペーサがそのそれぞれのプレートに固定されていない」例は、スペーサが接着剤でプレートに接着されているが、ＱＭＡＸプロセス中のプレートの使用中、接着剤は、スペーサをプレート表面上のその元の位置に保持することができず、スペーサはプレート表面上の元の位置から移動する。
【００４０】
ＱＭＡＸプロセスにおいて２つのプレートの「開放構成」という用語は、２つのプレートが部分的または完全のいずれかに分離され、プレート間の間隔がスペーサによって調節されない構成を意味する。
【００４１】
ＱＭＡＸプロセスにおいて２つのプレートの「閉鎖構成」という用語は、プレートが互いに向かい合っている構成を意味し、スペーサおよび試料の適切な体積がプレート間にあり、プレート間の適切な間隔、したがって、試料の適切な体積の厚さは、プレートおよびスペーサによって調節され、適切な体積は、試料の全体積の少なくとも一部である。
【００４２】
ＱＭＡＸプロセスにおいて「試料の厚さはプレートおよびスペーサによって調節される」という用語は、プレート、試料、スペーサ、およびプレート圧縮方法の所与の条件に関して、プレートの閉鎖構成における試料の少なくともポートの厚さがスペーサおよびプレートの特性から予め決定され得ることを意味する。
【００４３】
ＱＭＡＸデバイスのプレートの「内表面」または「試料表面」という用語は、試料に接触しているプレートの表面を指し、プレートのもう一方の表面（試料に接触していない）は「外表面」と呼ばれる。
【００４４】
ＱＭＡＸプロセスにおける物体の「高さ」または「厚さ」という用語は、特に明記しない限り、プレートの表面に垂直な方向にある物体の寸法を指す。例えば、スペーサの高さは、プレートの表面に垂直な方向のスペーサの寸法であり、スペーサの高さおよびスペーサの厚さは同じことを意味する。
【００４５】
ＱＭＡＸプロセスにおける物体の「領域」という用語は、特に明記しない限り、プレートの表面に平行な物体の領域を指す。例えば、スペーサ領域は、プレートの表面に平行なスペーサの領域である。
【００４６】
ＱＭＡＸデバイスという用語は、試料に対してＱＭＡＸ（例えば、ＣＲＯＦ）プロセスを行い、２つのプレートを接続するヒンジを有する、または有しないデバイスを指す。
【００４７】
Ｃ．比色アッセイ用の化学物質
本明細書で使用される「比色」という用語およびその文法上の変形は、人の色知覚スペクトル（例えば、可視スペクトル）を含む色スペクトルの物理的記述および定量化を指す。いくつかの実施形態では、定量が不要であり、高価な検出機器が利用できない場合、比色アッセイは特に有用である。ある特定の実施形態では、色変化の検出は、ユーザ（例えば、アッセイを行う個人）の肉眼による観察により実行され得る。比色アッセイは肉眼による観察で検出することができるため、ユーザが検出可能な色の変化について反応を調べるか、または比較可能な反応の色を複製する１つ以上の対照（陽性または陰性）と並行してアッセイを実行するかのいずれかであり得る。いくつかの実施形態では、較正された比色測定を使用して、標的の量を定量的に決定することが可能である。
【００４８】
一般に、比色分析は、溶液などの試料中の分析物（化学元素または化学化合物など）の有無、レベル、または濃度を発色試薬を用いて決定することを伴う。有機化合物および無機化合物の両方に適用可能であり、酵素反応ステップを用いて、またはそれなしで使用することができる。一般的に、必要な機器は、比色計、１つ以上のキュベット、および適切な発色試薬である。このプロセスは、例えば、ＡｕｔｏＡｎａｌｙｚｅｒの使用またはフローインジェクション分析によって自動化することができる。特定の実施形態では、比色計をプレートリーダーとの使用に適合させて、分析を高速化し、廃棄物流を低減することができる。
【００４９】
一態様では、本明細書に開示される比色アッセイは非酵素的方法である。例えば、金属イオンは、１つ以上の剤と反応して、１つ以上の着色生成物を形成することができる。例えば、カルシウムは、ｏ−クレゾールフタレインコンプレクソンと反応して着色錯体を形成することができる。銅は、バソクプロインジスルホネートと反応して着色錯体を形成し得る。クレアチニンは、ピクラートと反応して着色錯体を形成することができる。鉄は、バソフェナントロリンジスルホネートと反応して着色錯体を形成することができる。そして、ホスフェートは、モリブデン酸アンモニウムおよび／またはメタバナジン酸アンモニウムと反応して着色錯体を形成することができる。
【００５０】
別の態様では、本明細書に開示される比色アッセイは、１つ以上の酵素反応ステップを含む。典型的には、発色反応の前に酵素によって触媒される反応が起こる。酵素は１つ以上の特定の基質に特異的であるため、より正確な結果を得ることができる。例えば、ＣＨＯＤ−ＰＡＰ法）などのコレステロール検出のアッセイでは、試料中のコレステロールが最初に酸素と反応して、酵素コレステロールオキシダーゼによって触媒される）コレステノンおよび過酸化水素を生成する。次に、過酸化水素を４−アミノフェナゾンおよびフェノールと反応させて（今回はペルオキシダーゼによって触媒される）着色錯体および水を生成する。別の例は、グルコースが試料が最初に酸素および水と反応して（酵素グルコースオキシダーゼによって触媒される）グルコネートおよび過酸化水素を生成する、グルコースを検出するためのＧＯＤ−Ｐｅｒｉｄ法である。そのように生成された過酸化水素は、ＡＢＴＳと反応して着色錯体を生成し、反応はペルオキシダーゼによって触媒され得る。さらに別の例では、いわゆるＧＰＯ−ＰＡＰ法は、トリグリセリドを検出する。トリグリセリドは最初にグリセロールおよびカルボン酸に変換される（エステラーゼによって触媒される）。次に、グリセロールはＡＴＰと反応してグリセロール−３−ホスフェートおよびＡＤＰ（グリセロールキナーゼによって触媒される）を形成する。次に、グリセロール−３−ホスフェートは、グリセロール−３−リン酸オキシダーゼによって酸化されてジヒドロキシアセトンホスフェートおよび過酸化水素を形成する。そして、最終的な酵素反応はペルオキシダーゼによって触媒され、ここで、過酸化水素は４−アミノフェナゾンおよび４−クロロフェノールと反応して着色錯体を形成する。いくつかの実施形態では、比色アッセイは、非酵素的ステップ（複数可）および酵素的ステップ（複数可）の両方を含み得る。例えば、最初に分析物を炭酸アンモニウム（ウレアーゼによって触媒される）に変換し、次に炭酸アンモニウムがフェノールおよび次亜塩素酸塩と非酵素的反応で反応して着色錯体を形成することにより、尿素を検出することができる。
【００５１】
いくつかの実施形態では、比色アッセイはタンパク質標的を検出する。一態様では、比色アッセイは、タンパク質−金属キレート化（タンパク質−銅キレート化など）の形成、それに続く還元金属（例えば、銅）の二次検出を伴う。この種類の比色アッセイの例には、ＢＣＡアッセイ、ならびにＴｈｅｒｍｏ  Ｓｃｉｅｎｔｉｆｉｃ  Ｐｉｅｒｃｅ  ＢＣＡおよびＭｏｄｉｆｉｅｄ  Ｌｏｗｒｙ  Ｐｒｏｔｅｉｎ  ＡｓｓａｙｓなどのＬｏｗｒｙタンパク質アッセイが含まれる。別の態様では、比色アッセイは、結合色素に関連する色変化の直接検出を伴うタンパク質色素結合を伴う。この種類の比色アッセイの例には、６６０ｎｍアッセイおよびクマシー（Ｂｒａｄｆｏｒｄ）タンパク質アッセイが含まれる。ポリペプチドまたはタンパク質標的を検出するための比色アッセイの他の例には、ビウレットアッセイ、ビシンコニン酸（Ｓｍｉｔｈ）アッセイ、アミドブラック法、およびコロイド金アッセイが含まれる。
【００５２】
特定の実施形態では、比色スクリーニングなどの比色アッセイは、ＮＡＤ（Ｐ）Ｈ生成に基づき得る。ＮＡＤ（Ｐ）Ｈの３４０ｎｍでの吸光度は、デヒドロゲナーゼの活性を測定するために一般的に使用される。典型的には、この種類の比色アッセイは、合成化合物または二次酵素のいずれかを必要とする間接的な方法を伴う。例えば、ニトロブルーテトラゾリウム（ＮＢＴ）などのテトラゾリウム塩は、可視領域の光を吸収するホルマザン色素に還元することができる。これらの反応は生物学的条件下では本質的に不可逆的であり、色の増加はフィルタディスクまたは標準の９６ウェルプレートリーダーで視覚的に容易に監視することができる。着色ホルマザンの形成につながるカスケード反応は、ＮＡＤ（Ｐ）Ｈの生成を試料中のデヒドロゲナーゼの触媒活性に関連付ける。
【００５３】
特定の実施形態では、比色アッセイは、酵素結合免疫吸着アッセイ（ＥＬＩＳＡ）である。比色ＥＬＩＳＡ基質の例には、ＰＮＰＰ（ｐ−ニトロフェニルホスフェート、４０５ｎｍで光を吸収する黄色の水溶性反応生成物を生成するためにＥＬＩＳＡ用途でアルカリホスファターゼを検出するために広く使用されている基質）、ＡＢＴＳ（２，２’−アジノビス［３−エチルベンゾチアゾリン−６−スルホン酸］−ジアンモニウム塩（ＨＲＰの検出に使用され、水溶性の緑色の最終反応生成物をもたらす）、ＯＰＤ（ｏ−フェニレンジアミン二塩酸塩、ＨＲＰの検出に使用され、水溶性の黄橙色の反応生成物をもたらす）、およびＴＭＢ（３，３’，５，５’−テトラメチルベンジジン、ＨＲＰ検出時に青色をもたらす）などのアルカリホスファターゼ（ＡＰ）および／または西洋ワサビペルオキシダーゼ酵素（ＨＲＰ）のための比色（発色性とも呼ばれる）基質が含まれる。
【００５４】
比色アッセイの具体的な例には、ＨＲＰ／ＡＢＴＳ／Ｈ２Ｏ２アッセイ、ＨＲＰ／４ＣＮ／Ｈ２Ｏ２アッセイ、Ｄ−アミノ酸オキシダーゼアッセイ、ペルオキシダーゼ／ｏ−ジアニシジンアッセイ、ＡＢＴＳおよびｏ−ジアニシジンアッセイ、ＴＭＢアッセイ、グアイアコールアッセイ、ＭＮＢＤＨアッセイ、ギブズ試薬および４−アミノアンチピリンに基づくアッセイ、Ｐｏｌｙ  Ｒ−４７８アッセイ、西洋ワサビペルオキシダーゼ結合アッセイ、ＭＴＴアッセイ、インドールアッセイ、ならびにパラニトロフェノキシアナログ（ｐＮＡ）アッセイが含まれる。
【００５５】
上述のデバイスおよび方法を使用して、以下の比色アッセイの１つ以上を行うことができる。適切な比色アッセイには、限定されないが、タンパク質、核酸、抗体、または微生物を検出する比色アッセイが含まれる。比色アッセイは、溶液中の物質の濃度を決定するために使用され得る。場合によっては、比色アッセイには比色イムノアッセイが含まれる。適切な比色アッセイには、Ｊｉａｎｇ  ｅｔ  ａｌ．，Ａｎａｌｙｓｔ（２０１６），１４１：１１９６−１２０８、Ｍｏｒｂｉｏｌｉ  ｅｔ  ａｌ．，Ａｎａｌ．Ｃｈｉｍ．Ａｃｔａ．（２０１７），９７０：１−２２、Ｇｕ  ｅｔ  ａｌ．，Ｂｉｏｔｅｃｈｎｏｌｏｇｙ  Ａｄｖａｎｃｅｓ（２０１５），３３：６６６−６９０、Ｍａｒｉｎ  ｅｔ  ａｌ．，Ａｎａｌｙｓｔ．（２０１５），１４０（１）：５９−７０、Ｄｕ  ｅｔ  ａｌ．，Ｓｍａｌｌ．（２０１３），９（９−１０）：１４６７−８１、Ｓｏｎｇ  ｅｔ  ａｌ．，Ａｄｖ．Ｍａｔｅｒ．（２０１１），２３（３７）：４２１５−３６、Ｌｉｕ  ｅｔ  ａｌ．，Ｎａｎｏｓｃａｌｅ（２０１１），３（４）：１４２１−３３、Ｍａｒｔｉｎ  ｅｔ  ａｌ．Ｊ．Ａｎｉｍｉｃｒｏｂ  Ｃｈｅｍｏｔｈｅｒ．（２００７）５９（２）：１７５−８３、Ｓａｐａｎ  ｅｔ  ａｌ．Ｂｉｏｔｅｃｈｎｏｌ．Ａｐｐｌ．Ｂｉｏｃｈｅｍ．（１９９９），２９（ｐｔ２）：９９−１０８に記載されるものが含まれ得る。
【００５６】
比色イムノアッセイには、例えば、酵素結合免疫吸着アッセイ（ＥＬＩＳＡ）などの酵素イムノアッセイが含まれ得る。ＥＬＩＳＡアッセイは、表面結合抗原を酵素、例えば、単一の抗体コンジュゲートまたは酵素で抗原を標識するために協同して作用する２つ以上の抗体で標識することを含み得る。抗原は、非特異的手段（例えば、吸着）または特異的手段（例えば、「サンドイッチ」ＥＬＩＳＡにおける抗体による捕捉）により固体表面に固定化され得る。インキュベーションに続いて、洗浄ステップ、および酵素に共有結合した検出抗体の添加を行うことができる。場合によっては、検出抗体は、酵素に結合した二次抗体によってそれ自体検出される一次抗体である。酵素の標識後、典型的には１つ以上の洗浄ステップの後、酵素は、例えば、分光測光法、蛍光測定法、または視覚的手段により検出され得る信号、例えば化学信号を生成するような方法で、発色性基質などの適切な基質と反応する。そのような色の変化は、試料中の抗原の存在および／または量を示し得る。ＥＬＩＳＡアッセイの種類には、例えば、直接ＥＬＩＳＡ、サンドイッチＥＬＩＳＡ、および競合ＥＬＩＳＡが含まれる。
【００５７】
酵素イムノアッセイでの使用に適した酵素には、限定されないが、リンゴ酸デヒドロゲナーゼ、ブドウ球菌ヌクレアーゼ、デルタ−５−ステロイドイソメラーゼ、酵母アルコールデヒドロゲナーゼ、アルファ−グリセロホスフェート、デヒドロゲナーゼ、トリオースリン酸イソメラーゼ、西洋ワサビペルオキシダーゼ、アルカリホスファターゼ、アスパラギナーゼ、グルコースオキシダーゼ、ベータ−ガラクトシダーゼ、リボヌクレアーゼ、ウレアーゼ、カタラーゼ、グルコース−６−リン酸デヒドロゲナーゼ、グルコアミラーゼ、およびアセチルコリンエステラーゼが含まれる。このようなアッセイでの検出は、酵素の発色性基質を用いる比色法により達成でき、ここで、適切な基質には、限定されないが、ｏ−フェニレンジアミン（ＯＰＤ）、３，３’，５，５’−テトラメチルベンジジン（ＴＭＢ）、３，３’−ジアミノベンジドテトラヒドロクロライド（ＤＡＢ）、２，２’−アジノ−ビス（３−エチルベンズチアゾリン−６−スルホン酸）（ＡＢＴＳ）などが含まれる。基質の流体組成物、例えば、基質の水性調製物は、典型的には、検出可能な生成物が生成されるのに十分な期間の間、基質表面とともにインキュベートされる。インキュベーションは、典型的には、約０〜３７℃、一般的には約１５〜３０℃、より一般的には約１８〜２５℃の範囲の温度で、約１０秒〜２時間、一般的には約３０秒〜１時間、より一般的には約５分〜１５分の範囲の期間の間続く。
【００５８】
比色イムノアッセイには、ラテラルフローアッセイ（ＬＦＡ）またはイムノクロマトグラフィアッセイが含まれ得る。そのようなアッセイは、流体を輸送するために、一連の毛細管床、例えば、多孔質紙またはポリマーで行われてもよい。従来のラテラルフロー試験ストリップは、試料受容領域および標的捕捉区間が支持される固体支持体を含む。固体支持体の材料は、試料受容領域および標的捕捉区間を支持し、ラテラルフロー試験ストリップが試料のキャリア液として機能する適切な溶媒または緩衝液に曝されたときに、試料受容領域から標的捕捉区間に試料の毛細管流を提供することができるものである。支持体として使用することができる材料の一般的なクラスには、有機または無機ポリマー、ならびに天然および合成ポリマーが含まれる。適切な固体支持体のより具体的な例には、限定されないが、ガラス繊維、セルロース、ナイロン、架橋デキストラン、様々なクロマトグラフィ紙、およびニトロセルロースが含まれる。
【００５９】
捕捉区間では、捕捉分子が錯体に結合し、試験ストリップの色を変化させ得る。捕捉区間は、信号生成システムの１つ以上の構成要素を含み得る。シグナル生成システムは、ラテラルフローアッセイの特定の性質に応じて広く異なり、直接または間接的に検出可能な標識である。ＬＦＡでの使用に適切な検出可能な標識には、分光学的、光化学的、生化学的、免疫化学的、電気的、光学的、化学的、または他の手段により検出可能な任意の部分が含まれる。例えば、適切な標識は、標識ストレプトアビジンコンジュゲートで染色するためのビオチン、蛍光色素（例えば、フルオレセイン、テキサスレッド、ローダミン、緑色蛍光タンパク質など）、放射標識（例えば、３Ｈ、１２５Ｉ、３５Ｓ、１Ｃまたは３２）、酵素（例えば、西洋ワサビペルオキシダーゼ、アルカリホスファターゼ、およびＥＬＩＳＡで一般的に使用されるもの）、およびコロイド金ナノ粒子、銀ナノ粒子、磁性ナノ粒子、酸化セリウムナノ粒子、カーボンナノチューブ、酸化グラフェン、コンジュゲートポリマーなどの比色標識、または着色ガラスもしくはプラスチック（例えば、ポリスチレン、ポリプロピレン、ラテックスビーズ）を含む。放射標識は、写真フィルムまたはシンチレーションカウンターを使用して検出することができ、蛍光マーカーは、放射光を検出するために光検出器を使用して検出され得る。酵素標識は、典型的には、酵素に基質を提供し、基質に対する酵素の作用により生成された反応生成物を検出することにより検出され、比色標識は、着色標識を単に視覚化することにより検出される。
【００６０】
場合によっては、比色アッセイを使用して試料中のイオンを測定することができる。例えば、塩化物イオンは比色アッセイで測定され得る。塩化物イオンはチオシアン酸第二水銀からチオシアネートを置換する。遊離チオシアネートは第二鉄イオンと反応して着色錯体チオシアン酸第三鉄を形成し、これは測光的に測定される。
【００６１】
同様に、マグネシウムは、カルマガイトを使用して比色により測定することができ、カルマガイトは、マグネシウムと反応すると赤紫色に変わり（ホルマザン色素試験による）、マグネシウムとの反応、またはマグネシウムと結合して青色の錯体を形成するメチルチモールブルーを使用すると、６００ｎｍで発光する。
【００６２】
同様に、カルシウムは、Ｏ−クレゾールフタレインコンプレクソンとカルシウムとの反応で紫色に変わるＯ−クレゾールフタレインを使用した比色技術によって検出することができる。
【００６３】
同様に、重炭酸塩（ＨＣＯ３−）およびホスホエノールピルビン酸（ＰＥＰ）は、ホスホエノールピルビン酸カルボキシラーゼ（ＰＥＰＣ）により触媒される反応でオキサロ酢酸およびホスフェートに変換されるため、二色で試験することができる。リンゴ酸デヒドロゲナーゼ（ＭＤ）は、還元ニコチンアミドアデニンジヌクレオチド（ＮＡＤＨ）の同時酸化を伴うオキサロ酢酸のマレートへの還元を触媒する。このＮＡＤＨの酸化は、試料の重炭酸塩含有量に比例して、３８０／４１０ｎｍで二色により測定される反応混合物の吸光度の減少をもたらす。血中尿素窒素は、ジアセチルまたはフェアロンが尿素とともに黄色の色素原を生じ、測光によって定量化され得る比色試験で検出することができる。同様に、クレアチニンは、試料をアルカリ性ピクラート溶液で処理して赤色の錯体をもたらすことにより、比色により測定することができる。加えて、クレアチニンは、クレアチニンがクレアチニンイミノヒドロラーゼによって加水分解されるときに生成されるアンモニアを測定する非ジャッフェ反応を使用して測定することができる。グルコースは、濃度を推定するために血液を一定期間、一定量のグルコースオキシダーゼに曝されるアッセイにおいて測定することができる。指定された時間後に、過剰な血液が除去され、色が発色し、これは、グルコース濃度を推定するために使用される。例えば、グルコースとのグルコースオキシダーゼ反応は、ヨウ化カリウム（ろ紙中）をヨウ素に変換し、茶色を形成する発生期の酸素を形成する。血液中のグルコースレベルの間接的な読み取りとしてのグリコシル化ヘモグロビンの濃度。
【００６４】
血漿高密度リポタンパク質コレステロール（ＨＤＬ−Ｃ）の決定は、ヘパリン塩化マンガンによる全血漿（ＬＤＬおよびＶＬＤＬ）のアポタンパク質Ｂ含有リポタンパク質の沈殿後、血漿総コレステロールに使用されるのと同じ手順により測定される。これらの化合物は、コレステロールエステルおよび遊離コレステロールの両方を定量化する酵素駆動反応に基づいたアッセイにおいて比色により検出することもできる。コレステロールエステルは、コレステロールエステラーゼを介してコレステロールに加水分解され、これは次にコレステロールオキシダーゼによってケトンコレスト−４−エン−３−オンと過酸化水素に酸化される。次に、過酸化水素は、非常に特異的な比色プローブで検出される。西洋ワサビペルオキシダーゼは、１：１の比率で結合するプローブと過酸化水素との間の反応を触媒する。試料を既知のコレステロール標準濃度と比較することができる。
【００６５】
試薬の例
Ａ．グルコース比色（蛍光）アッセイ
試料：全血、血漿、血清、唾液
試薬レシピ１：
１００単位／ｍｌのグルコースオキシダーゼ、１００単位／ｍｌの西洋ワサビペルオキシダーゼ、２０ｍＭ  ４−アミノアンチピリン、２０ｍＭ  ＴＯＯＳ
試薬レシピ２：
１００単位／ｍｌのグルコースオキシダーゼ、１００単位／ｍｌの西洋ワサビペルオキシダーゼ、２０ｍＭ  ３，５，３’，５’−テトラメチルベンジジン（ＴＭＢ）
試薬レシピ３：
１００単位／ｍｌのグルコースオキシダーゼ、１００単位／ｍｌの西洋ワサビペルオキシダーゼ、２０ｍＭ  Ａｍｐｌｅｘ  Ｒｅｄ
試薬レシピ４：
１単位／ｍｌのヘキソキナーゼ、２２０ｍｇ／ｍｌのＡＴＰ、４００ｍｇ／ｍｌのＮＡＤ
Ｂ．カルシウム比色アッセイ
試料：全血、血漿、血清、唾液
試薬レシピ１：
１７ｍｇ／ｍｌのアルセナゾＩＩＩ
Ｃ．アルブミン比色アッセイ
試料：全血、血漿、血清、唾液
試薬レシピ１：
２２ｍｇ／ｍｌのブロムクレゾールパープル
Ｄ．総タンパク質比色アッセイ
試料：全血、血漿、血清、唾液
試薬レシピ１：
１．３４ｍｇ／ｍｌの硫酸銅、３．４３ｍｇ／ｍｌの酒石酸カリウムナトリウム、０．２８ｍｇ／ｍｌのヨウ化カリウム
Ｅ．ナトリウム比色アッセイ
試料：全血、血漿、血清、唾液
試薬レシピ１：
２２０ｍｇ／ｍｌのＯＮＰＧ、０．０５単位／ｍｌのβ−ガラクトシダーゼ
Ｆ．カリウム比色アッセイ
試料：全血、血漿、血清、唾液
試薬レシピ１：
２２０ｍｇ／ｍｌのＡＤＰ、０．０５単位／ｍｌのホスホエノールピルビン酸、０．１単位／ｍｌのピルビン酸キナーゼ、４８０ｍｇ／ｍｌのＮＡＤＨ、１３．６ｍｇ／ｍｌのリン酸カリウム、９５ｍｇ／ｍｌの硫酸マグネシウム、７．８５ｍｇ／ｍｌのＦＡＤ、１３０ｍｇ／ｍｌの４−アミノアンチピリン、１０単位／ｍｌの西洋ワサビペルオキシダーゼ、１．８８ｍｇ／ｍｌのＴＢＨＢＡ
Ｇ．塩化物比色アッセイ
試料：全血、血漿、血清、唾液
試薬レシピ１：
５３０ｍｇ／ｍｌのＣＮＰＧ３、０．３６単位／ｍｌのａ−アミラーゼ、２５０ｍｇ／ｍｌの酢酸カルシウム
Ｈ．血中尿素窒素比色アッセイ
試料：全血、血漿、血清、唾液
試薬レシピ１：
０．５Ｕ／ｍｌの尿素アミドリアーゼ、５７０ｕｇ／ｍｌのＰＥＰ、２２０ｕｇ／ｍｌのＡＴＰ、１Ｕ／ｍｌのピルビン酸キナーゼ  １０Ｕ／ｍｌのピルビン酸オキシダーゼ、１３．６ｍｇ／ｍｌのリン酸カリウム、９５ｕｇ／ｍｌのＭｇＣｌ２、７．８５ｕｇ／ｍｌのＦＡＤ  １．８８ｍｇ／ｍｌのＴＢＨＢＡ、１３０ｕｇ／ｍｌの４−ＡＡＰ、１０Ｕ／ｍｌのペルオキシダーゼ
Ｉ．クレアチニン比色アッセイ
試料：全血、血漿、血清、唾液
試薬レシピ１：
１０Ｕ／ｍｌのクレアチニンアミドヒドロラーゼ、３０Ｕ／ｍｌのクレアチニンアミジノヒドロラーゼ、１０Ｕ／ｍｌのサルコシンオキシダーゼ、１．８８ｍｇ／ｍｌのＴＢＨＢＡ、１３０ｕｇ／ｍｌの４−ＡＡＰ、１０Ｕ／ｍｌのペルオキシダーゼ
Ｊ．アルカリホスファターゼ比色アッセイ
試料：全血、血漿、血清、唾液
試薬レシピ１：
５６０ｕｇ／ｍｌのｐ−ニトロフェニルホスフェート、０．５Ｕ／ｍｌの硫酸亜鉛、３３０ｕｇ／ｍｌの硫酸マグネシウム
Ｋ．アラニンアミノトランスフェラーゼ比色アッセイ
試料：全血、血漿、血清、唾液
試薬レシピ１：
８．７４ｍｇ／ｍｌのＬ−アラニン、１．０１ｍｇ／ｍｌのα−ケトグルタル酸
１０Ｕ／ｍｌのピルビン酸オキシダーゼ、１３．６ｍｇ／ｍｌのリン酸カリウム、９５ｕｇ／ｍｌのＭｇＣｌ２、７．８５ｕｇ／ｍｌのＦＡＤ、１．８８ｍｇ／ｍｌのＴＢＨＢＡ、１３０ｕｇ／ｍｌの４−ＡＡＰ、１０Ｕ／ｍｌのペルオキシダーゼ
Ｌ．アスパラギン酸アミノトランスフェラーゼ比色アッセイ
試料：全血、血漿、血清、唾液
試薬レシピ１：
４．２６ｍｇ／ｍｌのＬ−アスパラギン酸、１．０１ｍｇ／ｍｌのα−ケトグルタル酸、１０Ｕ／ｍｌのオキサロ酢酸デカルボキシラーゼ、１．８８ｍｇ／ｍｌのＴＢＨＢＡ、１３０ｕｇ／ｍｌの４−ＡＡＰ、１０Ｕ／ｍｌのペルオキシダーゼ
Ｍ．ビリルビン比色アッセイ
試料：全血、血漿、血清、唾液
試薬レシピ１：
１Ｕ／ｍｌのビリルビンオキシダーゼ
Ｎ．コレステロール比色（蛍光）アッセイ
試料：全血、血漿、血清、唾液
試薬レシピ１：
１００単位／ｍｌのコレステロールオキシダーゼ、１００単位／ｍｌの西洋ワサビペルオキシダーゼ、２０ｍＭ  ４−アミノアンチピリン、２０ｍＭ  ＴＯＯＳ
試薬レシピ２：
１００単位／ｍｌのコレステロールオキシダーゼ、１００単位／ｍｌの西洋ワサビペルオキシダーゼ、２０ｍＭ  ３，５，３’，５’−テトラメチルベンジジン（ＴＭＢ）
試薬レシピ３：
１００単位／ｍｌのコレステロールオキシダーゼ、１００単位／ｍｌの西洋ワサビペルオキシダーゼ、２０ｍＭ  Ａｍｐｌｅｘ  Ｒｅｄ
Ｏ．トリグリセリド比色（蛍光）アッセイ
試料：全血、血漿、血清、唾液
試薬レシピ１：
１００単位／ｍｌのリパーゼ、１００単位／ｍｌのグリセロキナーゼ、１００単位／ｍｌのグリセロリン酸オキシダーゼ、２０ｍＭ  ４−アミノアンチピリン、２０ｍＭ  ＴＯＯＳ
試薬レシピ２：
１００単位／ｍｌのリパーゼ、１００単位／ｍｌのグリセロキナーゼ、１００単位／ｍｌのグリセロリン酸オキシダーゼ、２０ｍＭ  ３，５，３’，５’−テトラメチルベンジジン（ＴＭＢ）
試薬レシピ３：
１００単位／ｍｌのリパーゼ、１００単位／ｍｌのグリセロキナーゼ、１００単位／ｍｌのグリセロリン酸オキシダーゼ、２０ｍＭ  Ａｍｐｌｅｘ  Ｒｅｄ
Ｐ．アルコール比色（蛍光）アッセイ
試料：全血、血漿、血清、唾液、呼気
試薬レシピ１：
１００単位／ｍｌのアルコールオキシダーゼ、１００単位／ｍｌの西洋ワサビペルオキシダーゼ、２０ｍＭ  ４−アミノアンチピリン、２０ｍＭ  ＴＯＯＳ
試薬レシピ２：
１００単位／ｍｌのアルコールオキシダーゼ、１００単位／ｍｌの西洋ワサビペルオキシダーゼ、２０ｍＭ  ３，５，３’，５’−テトラメチルベンジジン（ＴＭＢ）
試薬レシピ３：
１００単位／ｍｌのアルコールオキシダーゼ、１００単位／ｍｌの西洋ワサビペルオキシダーゼ、２０ｍＭ  Ａｍｐｌｅｘ  Ｒｅｄ
Ｑ．過酸化水素（蛍光）アッセイ
試料：全血、血漿、血清、唾液、呼気
試薬レシピ１：
１００単位／ｍｌの西洋ワサビペルオキシダーゼ、２０ｍＭ  ４−アミノアンチピリン、２０ｍＭ  ＴＯＯＳ
試薬レシピ２：
１００単位／ｍｌの西洋ワサビペルオキシダーゼ、２０ｍＭ  ３，５，３’，５’−テトラメチルベンジジン（ＴＭＢ）
試薬レシピ３：
１００単位／ｍｌの西洋ワサビペルオキシダーゼ、２０ｍＭ  Ａｍｐｌｅｘ  Ｒｅｄ
Ｒ．グラム染色
試料：血液塗抹標本、膣試料、生殖器試料
グラムクリスタルバイオレット
クリスタルバイオレット２０ｇ、シュウ酸アンモニウム８ｇ、メタノール２００ｍＬ
グラムヨウ素
ヨウ素結晶３．３３ｇ、ヨウ化カリウム６．６７ｇ
グラム脱色剤
エタノール５００．０ｍＬ、アセトン５００．０ｍＬ
グラムサフラニン
サフラニンＯ０．２５ｇ、エタノール１０ｍＬ
グラムベーシックフクシンベーシック
フクシン０．７ｇ、フェノール３．５ｍＬ、エタノール１４ｍＭ
Ｓ．ライシュマン染色
試料：塗沫試料
レシピ１
ライシュマン色素０．２ｇ、アセトン不含メチルアルコール１００ｍＬ
Ｔ．ギムザ染色
試料：塗沫試料
レシピ１
ギムザパウダー０．１５ｇ、グリセリン１２．５ｍＬ、メチルアルコール１２．５ｍＬ
Ｕ．ライト染色
試料：塗沫試料
レシピ１
ライト染色１．５ｇ、メタノール５００ｍＬ
Ｖ．フィールド染色
試料：塗沫試料
フィールド溶液Ａ
メチレンブルー１．６ｇ、リン酸二水素二ナトリウム１０ｇ、リン酸二水素カリウム１２．５ｇ、アズール１ｇ、蒸留水１０００ｍＬ
フィールド溶液Ｂ
エオシンＹ２ｇ、リン酸二水素二ナトリウム１０ｇ、リン酸二水素カリウム１２．５ｇ、蒸留水１０００ｍＬ
Ｗ．ジェンナー染色
試料：塗沫試料
レシピ１
ジェンナー染色０．５ｇ、メタノール１００ｍＬ
Ｘ．ＪＳＢ染色
試料：塗沫試料
レシピ１
アチンオレンジ色素０．５ｇ、１％硫酸３ｍＬ、二クロム酸カリウム０．５ｇ、リン酸水素二ナトリウム脱水３．５ｇ、蒸留水５００ｍＬ
ＪＳＢ染色ＩＩ
エオシンＹ１ｇ、蒸留水５００ｍｌ
Ｙ．計数および識別のための白血球染色
試料：血液、尿、他の体液
レシピ１
アクリジンオレンジ（検出剤）１ｕｇ／ｍＬ〜１ｍｇ／ｍＬ
レシピ２
１５０ｕＭヨウ化プロピジウム（ＰＩ）（検出剤）、１００ｕＭフルオレセインイソチオシアネート（ＦＩＴＣ）、２５０ｕＭベーシックオレンジ２１（ＢＯ２１）色素
Ｚ．計数のための血小板染色
試料：血液、尿、他の体液
レシピ１
アクリジンオレンジ（検出剤）１ｕｇ／ｍＬ〜１ｍｇ／ｍＬ
レシピ２
１５０ｕＭヨウ化プロピジウム（ＰＩ）（検出剤）、１００ｕＭフルオレセインイソチオシアネート（ＦＩＴＣ）、２５０ｕＭベーシックオレンジ２１（ＢＯ２１）色素
【００６６】
ＱＭＡＸデバイスを用いた試験システム
本発明の一態様は、ＱＭＡＸデバイスを使用して生／化学試料を分析するシステムおよび方法を提供する。
【００６７】
ＡＡ１．試料を分析する方法であって
ａ）試料をＱカードに付着させ、Ｑカードを閉じることと、
ｂ）閉じたＱカードを、携帯モバイル通信デバイスのカメラに接続するアダプタに挿入することと、
ｃ）携帯モバイル通信デバイスのカメラを使用して、閉じたＱカードの画像（複数可）を撮影することと、
ｄ）画像（複数可）および／または画像の分析結果を携帯モバイル通信デバイスから遠隔地に送信することと、
ｅ）遠隔地で、モバイル通信デバイスから送信された画像（複数可）および／または分析結果を分析することと、
ｆ）異常が検出された場合、第三者および／または携帯モバイル通信デバイスに通知することと、を含み、
Ｑカードは、互いに相対的に移動可能であり、開放構成および閉鎖構成を有する２つのプレートを備え、
試料は、開放構成でＱカードの一方または両方のプレートに付着し、閉鎖構成では、試料の少なくとも一部は、２つのプレート間にあり、
モバイル通信デバイスは、アダプタ内のＱカードの画像を生成し、画像および／またはその分析結果を遠隔地に送信するように構成されている、方法。
【００６８】
ＡＡ２．Ｑカード上に付着した試料が、対象からのものであり、対象がステップａ）を行う、先行する実施形態のいずれかに記載の方法。
【００６９】
ＡＡ３．試料の分析結果が正常範囲内にない場合、異常が特定される、先行する実施形態のいずれかに記載の方法。
【００７０】
ＡＡ４．遠隔デバイスおよびモバイル携帯通信デバイスによって生成された分析結果が事前定義された値と異なる場合、異常が特定される、先行する実施形態のいずれかに記載の方法。
【００７１】
ＡＡ５．試料が、羊水、房水、硝子体液、血液（例えば、全血、分画血液、血漿、血清など）、母乳、脳脊髄液（ＣＳＦ）、耳垢（ｃｅｒｕｍｅｎ）（耳垢（ｅａｒｗａｘ））、乳び、糜汁、内リンパ、外リンパ、糞便、胃酸、胃液、リンパ液、粘液（鼻漏および痰を含む）、心膜液、腹水、胸水、膿、粘膜分泌物、唾液、皮脂（ｓｅｂｕｍ）（皮脂（ｓｋｉｎ  ｏｉｌ））、精液、喀痰、汗、滑液、涙、嘔吐、尿、および呼気凝縮液からなる群から選択される体液を含む、先行する実施形態のいずれかに記載の方法。
【００７２】
ＡＡ６．試料が、河川、湖、池、海、氷河、氷山、雨、雪、下水、貯水池、水道水、飲料水、土壌、堆肥、砂、岩、コンクリート、木材、レンガ、下水、空気、熱排気口、産業排気、または車両排気から得られる環境検体を含む、先行する実施形態のいずれかに記載の方法。
【００７３】
ＡＡ７．試料が、生の食材、調理済みまたは加工済みの食品、植物および動物の食糧源、前処理済みの食品、または完全に加工済みの食品を含む食品検体を含む、先行する実施形態のいずれかに記載の方法。
【００７４】
ＡＡ８．ステップ（ａ）において、Ｑカードがヒトの手で押圧される、先行する実施形態のいずれかに記載の方法。
【００７５】
ＡＡ９．ステップｅ）が、結果を閾値または正常範囲と比較して、異常を含む試料を特定することを含む、先行する実施形態のいずれかに記載の方法。
【００７６】
ＡＡ１０．方法が、遠隔地での分析が大幅に異なる結果をもたらす場合、携帯モバイル通信デバイスを更新することをさらに含む、先行する実施形態のいずれかに記載の方法。
【００７７】
ＡＡ１１．Ｑカード上に付着した試料が、対象からのものであり、分析結果が対象に送信されない、先行する実施形態のいずれかに記載の方法。
【００７８】
ＡＡ１２．第三者が医療専門家である、先行する実施形態のいずれかに記載の方法。
【００７９】
ＡＡ１３．医療専門家が、医者または看護従事者である、実施形態ＡＡ１２に記載の方法。
【００８０】
ＡＡ１４．第三者が保険会社である、実施形態ＡＡ１〜ＡＡ１２のいずれかに記載の方法。
【００８１】
ＡＡ１５．モバイル通信デバイスからの結果および／または遠隔地からの結果が、救急室に送られる、先行する実施形態のいずれかに記載の方法。
【００８２】
ＡＡ１６．結果に基づいて、携帯モバイル通信デバイスまたは遠隔地が、追加情報を対象に送信する、実施形態ＡＡ１に記載の方法。
【００８３】
ＡＡ１７．追加情報が、結果の説明、疾患または状態に関する教育、可能な治療に関連する情報、適切な医師の所在地に関する情報、食事および／もしくは運動の変更に関連する情報、または広告を含む、実施形態ＡＡ１６に記載の方法。
【００８４】
ＡＡ１８．Ｑカードが、実質的に均一な高さおよび所定の一定のスペーサ間距離を有するスペーサを備え、閉鎖構成において、試料の少なくとも一部がＱカードの２つのプレートによって非常に均一な厚さの層に圧縮され、プレートに対して実質的に留まり、層の均一な厚さが、２つのプレートの内表面によって限定され、プレートとスペーサによって調節される、先行する実施形態のいずれかに記載の方法。
【００８５】
ＡＡ１９．プレートの少なくとも一方が可撓性である、実施形態ＡＡ１８に記載の方法。
【００８６】
ＡＡ２０．可撓性のプレートに関して、可撓性のプレートの厚さ×可撓性のプレートのヤング率が、６０〜７５０  ＧＰａ−ｕｍの範囲内である、実施形態ＡＡ１９に記載の方法。
【００８７】
ＡＡ２１．可撓性のプレートに関して、スペーサ間距離（ＩＳＤ）の４乗を可撓性のプレートの厚さ（ｈ）および可撓性プレートのヤング率（Ｅ）で割った、ＩＳＤ４／（ｈＥ）が、１０６ｕｍ３／ＧＰａ以下である、実施形態ＡＡ１９に記載の方法。
【００８８】
ＡＡ２２．均一な厚さの層を調節するスペーサが、少なくとも１％の充填率を有し、充填率が、均一な厚さの層と接触しているスペーサ面積と均一な厚さの層と接触している全プレート面積との比率である、実施形態ＡＡ１８に記載の方法。
【００８９】
ＡＡ２３．均一な厚さの層を調節するスペーサに関して、スペーサのヤング率×スペーサの充填率が、１０ＭＰａ以上であり、充填率が、均一な厚さの層と接触しているスペーサ面積と均一な厚さの層と接触している全プレート面積との比率である、実施形態ＡＡ１８に記載の方法。
【００９０】
ＡＡ２４．一方または両方のプレートが、プレートの表面上または内部のいずれかに、プレートの位置の情報を提供する位置マーカーを備える、先行する実施形態のいずれかに記載の方法。
【００９１】
ＡＡ２５．一方または両方のプレートが、プレートの表面上または内部のいずれかに、試料および／またはプレートの構造の横方向の寸法の情報を提供する尺度マーカーを備える、先行する実施形態のいずれかに記載の方法。
【００９２】
ＡＡ２６．一方または両方のプレートが、プレートの表面上または内部のいずれかに、試料の撮像を補助する撮像マーカーを備える、先行する実施形態のいずれかに記載の方法。
【００９３】
ＡＡ２７．スペーサが、位置マーカー、尺度マーカー、撮像マーカー、またはそれらの任意の組み合わせとして機能する、実施形態ＡＡ１８に記載の方法。
【００９４】
ＡＡ２８．均一な厚さの層の平均厚さが、０．２μｍ〜３．８μｍの範囲内であり、試料が血液である、実施形態ＡＡ１８に記載の方法。
【００９５】
ＡＡ２９．スペーサ間距離が、７μｍ〜５０μｍの範囲内である、実施形態ＡＡ１８に記載の方法。
【００９６】
ＡＡ３０．スペーサ間距離が、５０μｍ〜１２０μｍの範囲内である、実施形態ＡＡ１８に記載の方法。
【００９７】
ＡＡ３１．スペーサ間距離が、１２０μｍ〜２００μｍの範囲内である、実施形態ＡＡ１８に記載の方法。
【００９８】
ＡＡ３２．スペーサ間距離が、実質的に周期的である、実施形態ＡＡ１８に記載の方法。
【００９９】
ＡＡ３３．スペーサが、丸形、多角形、円形、正方形、長方形、楕円形、長円形、またはそれらの任意の組み合わせから選択される断面形状を有する柱である、実施形態ＡＡ１８に記載の方法。
【０１００】
ＡＡ３４．スペーサが柱形状を有し、実質的に平坦な上面を有し、各スペーサに関して、スペーサの横方向の寸法とその高さとの比率が少なくとも１である、実施形態ＡＡ１８に記載の方法。
【０１０１】
ＡＡ３５．各スペーサが、スペーサの横方向の寸法とその高さとの比率が少なくとも１である、実施形態ＡＡ１８に記載の方法。
【０１０２】
ＡＡ３６．スペーサの最小横方向の寸法が、試料中の分析物の最小寸法よりも小さいか、または実質的に等しい、実施形態ＡＡ１８に記載の方法。
【０１０３】
ＡＡ３７．スペーサの最小横方向の寸法が、０．５ｕｍ〜１００ｕｍの範囲内である、実施形態ＡＡ１８に記載の方法。
【０１０４】
ＡＡ３８．スペーサが柱形状を有し、スペーサの側壁角が、少なくとも１μｍの曲率半径を有する丸い形状を有する、実施形態ＡＡ１８に記載の方法。
【０１０５】
ＡＡ３９．スペーサが少なくとも１０００／ｍｍ２の密度を有する、実施形態ＡＡ１８に記載の方法。
【０１０６】
ＡＡ４０．プレートの少なくとも一方が透明である、先行する実施形態のいずれかに記載の方法。
【０１０７】
ＡＡ４１．プレートの少なくとも一方が可撓性ポリマーで作られている、先行する実施形態のいずれかに記載の方法。
【０１０８】
ＡＡ４２．プレートを圧縮する圧力に関して、スペーサが圧縮可能ではなく、かつ／または独立して、プレートの一方のみが可撓性である、実施形態ＡＡ１８に記載の方法。
【０１０９】
ＡＡ４３．可撓性のプレートが、１０ｕｍ〜２００ｕｍの範囲内の厚さを有する、先行する実施形態のいずれかに記載の方法。
【０１１０】
ＡＡ４４．均一な厚さのばらつきが３０％未満である、実施形態ＡＡ１８に記載の方法。
【０１１１】
ＡＡ４５．均一な厚さのばらつきが１０％未満である、実施形態ＡＡ１８に記載の方法。
【０１１２】
ＡＡ４６．均一な厚さのばらつきが５％未満である、実施形態ＡＡ１８に記載の方法。
【０１１３】
ＡＡ４７．プレートがヒンジによって接続され、ヒンジに沿ってプレートを折り畳むことにより、開放構成から閉鎖構成に変更されるように構成されている、先行する実施形態のいずれかに記載の方法。
【０１１４】
ＡＡ４８．均一な厚さの試料層が、少なくとも１ｍｍ２である側面積にわたって均一である、先行する実施形態のいずれかに記載の方法。
【０１１５】
ＡＢ１．試料を分析するシステムであって、
ａ）互いに相対的に移動可能であり、開放構成および閉鎖構成を有する２つのプレートを備える、分析用の試料を操作するためのＱカードと、
ｂ）カメラを備える携帯モバイル通信デバイスと、
ｃ）閉じたＱカードを保持するように構成されているスロットを有するアダプタであって、携帯モバイル通信デバイスに接続され、カメラが閉じたＱカードの画像を撮影することを可能にする、アダプタと、
ｄ）情報を保存し、モバイル通信デバイスと通信することができるリモートデバイスと、を備え、
試料は、開放構成でＱカードの一方または両方のプレートに付着し、閉鎖構成では、試料の少なくとも一部は、２つのプレート間にあり、
システムは、アダプタ内のＱカードの画像を生成し、画像および／またはその分析結果を遠隔地に送信するように構成されている、システム。
【０１１６】
ＡＢ２．Ｑカードが、折り畳むことによって閉鎖構成に設置され得る、実施形態ＡＢ１に記載のシステム。
【０１１７】
ＡＢ３．リモートデバイスが、画像および／またはその分析結果を分析するように構成されている、実施形態ＡＢ１に記載のシステム。
【０１１８】
ＡＢ４．リモートデバイスが、他のリモートデバイスと通信するように構成されている、実施形態ＡＢ１に記載のシステム。
【０１１９】
ＡＢ５．Ｑカードに設置された試料において異常が検出された場合、リモートデバイスが、第三者に通知するように構成されている、実施形態ＡＢ１に記載のシステム。
【０１２０】
ＡＣ１．対象に医療勧告を提供する方法であって、
ａ）対象からの試料中の１つまたは複数の分析物を分析するために、Ｑカードおよび関連するモバイル通信デバイスを使用することと、
ｂ）分析物の分析結果をモバイル通信デバイスから遠隔地に送信することと、
ｃ）分析結果をデータセットに保存することと、
ｄ）データセットに蓄積された分析結果に基づく一連の医療勧告を遠隔地で生成することと、
ｅ）モバイル通信デバイスにメッセージを送信することにより、対象に医療勧告を提供することと、を含み、
医療勧告には、対象の医学、栄養／食事、運動、および／または治療に関連する提案が含まれる、方法。
【０１２１】
ＡＣ２．対象のニーズを特定した後に、対象に医療勧告を提供することをさらに含む、段落ＡＣ１に記載の方法。
【０１２２】
Ｂ．ＱＭＡＸデバイスを用いたコレステロール試験
本発明の別の態様は、ＱＭＡＸデバイスを使用してコレステロール試験を行うデバイスおよび方法を提供する。
【０１２３】
ＢＡ１．液体試料を分析する方法であって、
（ａ）液体試料を得ることと、
（ｂ）第１のプレート、第２のプレート、およびプレートの一方または両方に固定されたスペーサを備えるデバイスを得ることであって、
ｉ．プレートが、開放構成および閉鎖構成を含む異なる構成へと互いに相対的に移動可能であり、
ｉｉ．各プレートがそれぞれ、試料接触領域を有する内表面を備え、
ｉｉｉ．スペーサが、所定の実質的に均一な高さを有し、スペーサの少なくとも１つが、試料接触領域の内側にある、得ることと、
（ｃ）プレートが開放構成にあるとき、プレートの一方または両方に試料を付着させることであって、
開放構成では、２つのプレートは部分的または全体的に分離され、プレート間の間隔はスペーサによって調節されない、付着させることと、
（ｄ）（ｃ）の後、２つのプレートを合わせて、プレートを閉鎖構成に押圧することであって、
閉鎖構成では、試料の少なくとも一部は、２つのプレートによって非常に均一な厚さの層に圧縮され、層の均一な厚さは、プレートの内表面によって限定され、スペーサによって調節され、
一方または両方の試料接触面は、閉鎖構成において試料に溶解および拡散し、試料中のコレステロールと反応して発光信号を生成または変更するように構成されている１つ以上の試薬を収容する１つ以上の収容部位を備える、押圧することと、
（ｅ）非常に均一な厚さの層から発光信号を読み取り、それにより試料中の総コレステロールの測定値を得ることと、を含む、方法。
【０１２４】
ＢＡ２．１つ以上の試薬が、コレステロールと反応して比色発光信号を生成または変更するように構成されており、
読み取りステップ（ｅ）が、非常に均一な厚さの層内の分析物からの比色発光信号を検出および定量化するステップを含む、段落ＢＡ１に記載の方法。
【０１２５】
ＢＡ３．１つ以上の試薬が、コレステリルエステルヒドロラーゼおよびコレステロールオキシダーゼを含む、段落ＢＡ１に記載の方法。
【０１２６】
ＢＡ４．１つ以上の試薬が、ペルオキシダーゼおよびカラープローブをさらに含む、段落ＢＡ３に記載の方法。
【０１２７】
ＢＡ５．カラープローブが、４−アミノフェナゾンおよびフェノールを含む、段落ＢＡ４に記載の方法。
【０１２８】
ＢＡ６．１つ以上の収容部位が、第１のプレート上に位置する第１の収容部位と、第２のプレート上に位置する第２の収容部位と、を含む、段落ＢＡ１に記載の方法。
【０１２９】
ＢＡ７．
ｉ．第１の収容部位が、コレステリルエステルヒドロラーゼおよびコレステロールオキシダーゼを含み、
ｉｉ．第２の収容部位が、４−アミノフェナゾン、フェノール、およびペルオキシダーゼを含む、段落ＢＡ６に記載の方法。
【０１３０】
Ｃ．重金属試験
本発明の別の態様は、生／化学試料において重金属試験を行うデバイスおよび方法を提供する。より具体的には、本発明は、水性系中の重金属イオンを検出するためのプロセス、重金属イオン試験片を含むデバイス、およびセンサを提供する。本発明によるデバイスによって提供される携帯型試験方法は、便利で効率的かつ迅速な方法で重金属イオンを検出するため。
【０１３１】
重金属（イオン）汚染は、重金属またはそれらの化合物によって生じる環境汚染を指す。環境中の重金属含有量の増加は、特に水性系の重金属汚染の場合、主に鉱業、廃ガスの排出、下水灌漑、および重金属含有製品の使用などの、環境品質の低下をもたらす人的要因によるものである。現在、試料の水性系中の少量、さらには微量の重金属イオンを、シンプル、低コスト、高感度、高信頼性、かつ安定な方法で検出するために使用することができる重金属イオン試験片の必要性が依然として存在する。一方、試験片はその場での検出に使用可能であり、高感度で重金属イオンを検出できることが必要である。さらに、重金属イオンは定性的に検出することができるだけでなく、定量的または半定量的にも検出することができることが望ましい。本発明は、これらの目標を達成するためのデバイスおよび方法を提供する。
【０１３２】
Ｃ−１．重金属試験用のデバイスおよび方法
図Ｃ１は、本発明が２つの部分を含むことを示す：１．従量式試料チャンバ内に乾燥試薬を有し、測定用のスマートフォンベースのリーダーに挿入することができる試験カードを備える、試験、２．スマートフォンで撮影した写真を変換し、分析物濃度を計算するための信号に変換する方法を含む計算。
【０１３３】
図Ｃ１に示すように、本発明は、試験プラットフォーム上の分析物の選択された定量的指標である収集点を得るためのデバイスおよび方法であり、
１．試験領域および較正領域を有するモジュール式の比色反応試験プラットフォームを提供すること、
２．モジュール式の比色試験プラットフォームの試験領域上で試験される分析物を提供することであって、試験領域が、分析物に対する比色反応を可能にするように適合されている、提供すること、
３．分析物および較正領域を含む試験領域のカラー画像を得ること、
４．分析物および較正領域を含む試験領域のカラー画像の各々において画素のアレイを選択すること、
５．画素のアレイの各々の中央ＲＧＢカラー値を決定すること、
６．画素のアレイの各々の中央ＲＧＢカラー値を特性値に変換すること、
７．特性値の選択された定量的指標に関連する較正指標を提供すること、
８．特性値を関連付けて分析物の選択された定量的指標を決定すること、を含む。
【０１３４】
図Ｃ２に示すように、コワース（ｃｏｅｒｃｅ）白色基板である第１のプレートには、色指示薬ならびにｐＨ調節剤が均一に印刷されている。色指示薬は、液体試料中の重金属に対して特定の反応を示す生／化学試薬である。液体試料には、限定されないが、水、土壌試料、油、体液、および食品が含まれる。ある特定の実施形態では、試料は飲料水である。ある特定の実施形態では、試料は食品である。いくつかの実施形態では、第１のプレートは、コワース白色ポリスチレンプレートである。いくつかの実施形態では、色指示薬は第１のプレート上で乾燥される。いくつかの実施形態では、ｐＨ調節剤は第１のプレート上で乾燥される。いくつかの実施形態では、乾燥した色指示薬の濃度は１ｕＭ〜１０ｍＭである。いくつかの実施形態では、乾燥したｐＨ調節剤の濃度は１ｕＭ〜１０ｍＭである。
【０１３５】
図Ｃ２に示すように、第２プレートに面する第１のプレートの表面は、第１のプレートの内表面として定義され、第１プレートに面する第２プレートの表面も、第２プレートの内表面として定義される。いくつかの実施形態では、それぞれのプレートの内表面は、分析物を含む試料と接触するための試料接触領域を備える。試料接触領域は、それぞれの内表面の一部または全体を占めてもよい。
【０１３６】
図Ｃ２に示すように、比色試験を使用して水中の重金属を試験するには、ｐＨ調節剤を試料に添加して、ｐＨレベルを最適な状態に調整しなければならない。これは、異なるｐＨレベルでは、重金属イオンに対する色指示薬の化学反応速度が大幅に変化し、ｐＨが調節されていない場合、試験内での大きな色のばらつきにつながるためである。重金属試験に関して、ｐＨ調節剤、またはそれらの複数の組み合わせの組み合わせは、試料ＰＨレベルを調整するためにプレート上で乾燥され、限定されないが、ギ酸（メタン酸）、シュウ酸（エタン二酸）、乳酸（２−ヒドロキシプロパン酸）、リンゴ酸（２−ヒドロキシブタン二酸）、クエン酸（２−ヒドロキシプロパン−１，２，３−トリカルボン酸）、炭酸（ヒドロキシメタン酸、ＩＵＰＡＣ名ではない）、アミノメチルホスホン酸を含む。
【０１３７】
図Ｃ２に示すように、第２のプレートは、第２のプレートの内表面上に固定されるスペーサを備える。しかしながら、いくつかの実施形態では、スペーサは第１のプレートの内表面上に固定され、他の実施形態では、第２のプレートおよび第１のプレートの両方の内表面上に固定されることに留意するべきである。
【０１３８】
図Ｃ２に示すように、スペーサは、１ｕｍ、２ｕｍ、５ｕｍ、１０ｕｍ、２０ｕｍ、５０ｕｍ、１００ｕｍ、２００ｕｍ、５００ｕｍ、１０００ｕｍの間、またはいずれかの２つの値間の範囲内である。スペーサの穴の直径は、約０．５ｍｍ、１ｍｍ、２ｍｍ、３ｍｍ、４ｍｍ、５ｍｍ、またはいずれかの２つの値間の範囲内である。穴間の中心間の間隔は、１ｍｍ、２ｍｍ、３ｍｍ、４ｍｍ、５ｍｍ、６ｍｍ、７ｍｍ、８ｍｍ、９ｍｍ、１０ｍｍ、２０ｍｍ、５０ｍｍ、またはいずれかの２つの値間の範囲内である。第２のプレートは、１ｕｍ、２ｕｍ、５ｕｍ、１０ｕｍ、２０ｕｍ、５０ｕｍ、１００ｕｍ、２００ｕｍ、５００ｕｍ、１０００ｕｍ、またはいずれかの２つの値の範囲内の厚さを有する透明の平坦な膜である。
【０１３９】
図Ｃ２に示すように、第１のプレートおよび第２のプレートは、異なる構成へと互いに相対的に移動可能である。構成の１つは、開放構成であり、開放構成では、２つのプレートは部分的または全体的に分離され、プレート間の間隔はスペーサによって調節されない。図Ｃ１は、開放構成のプレートを示し、開放構成では、限定されないが血液などの試料は、第１プレート、第２プレート、またはプレートの両方に添加され得る。いくつかの実施形態では、それぞれのプレートの内表面は、内表面の一部または全体を占める試料接触領域を備える。ある特定の実施形態では、スペーサは試料接触領域内に位置付けられる。いくつかの実施形態では、スペーサは、プレートの任意の１つに固定されないが、試料に混合される。
【０１４０】
図Ｃ２に示すように、第２のプレートは、滑らかな表面の透明な薄い膜である。第２のプレートの吸収は、色指示薬の吸収を妨げない必要がある。材料の可撓性に応じて、第２のプレートを試料に押圧した後に試料チャンバの歪みが発生しない限り、１０ｕｍ〜３００ｕｍの厚さを第２のプレートとして使用することができる。
【０１４１】
図３は、試験手順の概略図を示す。１．最初に、色指示薬およびｐＨ調節剤で印刷された各ウェルに微量の試料を添加する。２．次に、透明な第２のプレートをスペーサの上部に押圧し、閉じた試料チャンバを形成する。３．約１分間インキュベートして各個々の試料を発色させる。このプロセスでは、色指示薬およびｐＨ調節剤が完全に溶解および混合される。
【０１４２】
図Ｃ３に示すように、自社製の色指示薬およびｐＨ調節剤で印刷された白色ポリスチレン（ＰＳ）基板。センシング領域の色指示薬およびｐＨ調節剤の量は、ウェルの寸法に応じて慎重に制御されるため、各ウェルが試料でいっぱいになると、所望のｐＨレベルおよび色指示薬の濃度が達成され得る。重金属の種類またはそれらの組み合わせに応じて、異なる化学物質が色指示薬として使用される。色指示薬は、（１）鉛検出の場合、色指示薬は０．０１％〜０．２％のロジゾン酸ナトリウム（試料に溶解した後は０．２％が好ましい）、または（２）銅、カドミウム、クロム、水銀の場合、１０ｕＭ〜１ｍＭジチゾン（試料に溶解した後は３０ｕＭが好ましい）であり得る。
【０１４３】
図Ｃ３に示すように、色指示薬の印刷パラメータは、均一な乾燥が第１のプレート上で達成される限り、異なってもよい。印刷条件、すなわち液滴体積、速度は、当業者によく知られている第１のプレートの表面の湿潤性に依存するため、説明の必要はない。本発明において、印刷条件は、液滴直径５００〜６００μｍ、ピッチ約１ｍｍ、印刷速度約１０ｍｍ／秒である。
【０１４４】
図Ｃ３に示すように、ウェルの寸法は、スペーサ上の穴アレイの寸法によって決定される。スペーサの厚さ、穴の直径、およびそれらの間隔が試料体積を決定する。それらの構成は柔軟であるが、ある特定の構成、つまり小さなアスペクト比下の試料チャンバの歪みを避けることが重要である。ここで、スペーサの厚さは２ｕｍ〜１ｍｍ（好ましくは１００ｕｍ）であり、ウェルの直径は１００ｕｍ〜１０ｍｍ（好ましくは３ｍｍ）であり得、中心間距離は１００ｕｍ〜１０ｍｍ（好ましくは６ｍｍ）であり得る。
【０１４５】
図Ｃ３に示すように、いくつかの実施形態では、本発明の方法は、ステップ（２）の後、かつステップ（３）の前に、所定の期間の間、均一な厚さの層をインキュベートすることをさらに含む。ある特定の実施形態では、所定の期間は、検出抗体が均一な厚さの層にわたって試料中に拡散するのに必要な時間以上である。ある特定の実施形態では、所定の期間は、１０秒、２０秒、３０秒、４５秒、１分、１．５分、２分、３分、４分、５分、６分、７分、８分、９分、１０分、１５分、２０分、３０分、もしくは６０分未満、またはいずれかの２つの値間の範囲内である。
【０１４６】
図Ｃ４は、水中の鉛の試験に使用される化学反応の図を示す。鉛イオンは、試料に溶解したロジゾン酸ナトリウム（濃い黄色）と反応し、赤紅色の不溶性のロジゾン酸鉛を形成する。色の吸収を分析して水中の鉛濃度を計算することができる。
【０１４７】
図Ｃ５  水中の重金属の試験に使用される化学反応の図である。重金属は、Ｃｄ、Ｃｕ、Ｃｒ、Ｈｇであり得る。重金属イオンは、試料に溶解したジチオゾンと反応し、異なる重金属に対して異なる色をもたらすジチゾン−金属錯体を形成する。色を使用して重金属の種類を特定し、色の吸収を分析して水中の重金属濃度を計算することができる。
【０１４８】
図Ｃ６は、個々のＲ、Ｇ、Ｂチャネルの比色水中鉛試験標準曲線を単一の標準曲線に変換する概略図を示す。各試料に異なる濃度の重金属が含まれているため、Ｒ、Ｇ、Ｂ信号は異なる。この変換には、異なる鉛濃度のＲ、Ｇ、Ｂチャネル信号の組み合わせが使用される。いくつかの実施形態では、組み合わせの方法は線形結合である。いくつかの実施形態では、ＲＧＢチャネル信号を結合するための係数は定数である。いくつかの実施形態では、ＲＧＢチャネル信号を結合するための係数は行列である。いくつかの実施形態では、ＲＧＢチャネル信号を結合するための係数は、水中の鉛濃度の関数である。
【０１４９】
図Ｃ７に示すように、個々のＲ、Ｇ、Ｂチャネルの標準曲線を単一の標準曲線に変換するアルゴリズムは、アッセイの最高感度が達成され得るように、結合Ｒ、Ｇ、Ｂ信号の最適な係数を見つけるプロセスである。いくつかの実施形態では、異なる鉛濃度のＲ、Ｇ、Ｂチャネル信号の線形結合がこの変換に使用される。いくつかの実施形態では、線形係数は、一般化簡約勾配アルゴリズムを使用して訓練される。このようなアルゴリズムはオープンソースであり、当業者に知られており、説明の必要はない。ここでは、このアルゴリズムのプロセスを簡単に図に示す。
１．まず、４つの定数：Ｃ１、Ｃ２、Ｃ３、およびＣ４を
信号＝Ｃ１＊Ｒ＋Ｃ２Ｇ＋Ｃ３＊Ｂ＋Ｃ４となるように定義する
２．線形係数を事前に定義された量で少量変更する
３．検出限界（ＬＯＤ）を計算する
４．最小ＬＯＤが達成されるまで線形係数を変更し続ける
【０１５０】
本発明では、４８の異なる試験を使用してデータを訓練した。精度はより多くの訓練データによりさらに向上することができると予想される。これは、当業者の間で周知であり、さらなる説明の必要はない。
【０１５１】
Ｃ−２．例：水道水中の鉛濃度試験
例として、水中の鉛を試験するためのチップを準備する。白色のコワースＰＳ基板上に、自社製の色指示薬で印刷した。色指示薬は０．２％ロジゾン酸ナトリウムであり（これは飽和濃度である）、ｐＨ調節剤はクエン酸を添加することによりｐＨ約３．０である（このｐＨは独自の実験により最適化された）。液滴直径５００〜６００ｕｍ、ピッチ約１ｍｍ、および印刷速度約１０ｍｍ／秒のパラメータで試薬混合物を印刷した。
【０１５２】
この例では、各プレートが４８個のウェルを有し、ウェルの直径３ｍｍであるプレートを制作した。中心間距離は６ｍｍであり、ウェルの高さは約１００ｕｍである（Ａｄｈｅｓｉｖｅ  Ｒｅｓｅａｒｃｈの両面テープを使用して制御）。次に、各ウェルに試料０．７ｕＬを滴加した。次に、厚さ１７５ｕｍのＰＥＴ膜を使用してウェルを覆い、１分間待つ。１分間のインキュベーション後、各ウェルをすぐに測定する。試験では、使用される光源はスマートフォンのカメラのフラッシュライトである。そして、画像はスマートフォンのカメラを使用して撮影される。
【０１５３】
アッセイの検証として、４つの主要な性能を計算する：１．各プレートの検出限界（ＬＯＤ）；２．各プレートのアッセイ内ＣＶ％；３．各試験日のアッセイ間ＣＶ％；および４．日毎のＣＶ％。この例では、合計８つのプレートを準備し、各々異なる試薬バッチを使用して異なる時間に準備した。２つの異なる日に試験を行い、毎日、４つの異なるプレートで試験を行う。各プレート上で、４１７ｐｐｂ、２１３ｐｐｂ、１０６ｐｐｂ、５３．４ｐｐｂ、２６．７ｐｐｂ、１３．３ｐｐｂ、６．７ｐｐｂ、および０ｐｐｂからの８つの濃度でアッセイを行う。各濃度について、６回複製を行う。
【０１５４】
図Ｃ８は、個々のＲ、Ｇ、Ｂチャネルの水中鉛試験標準曲線を示す。ＲＧＢチャネル信号は、Ｐｂ２＋濃度曲線とともに変化し、変換式信号＝−０．８８＊Ｒ＋Ｇ−０．２７＊Ｂ＋５６．１２を使用して単一の標準曲線に変換される。変換されたデータは、５ＰＬロジスティックフィッティングに適合される。誤差棒は、６つの複製ウェルの標準偏差である。変換後のＬＯＤは８．５ｐｐｂである。
【０１５５】
図Ｃ９は、本発明のこの例における８つすべての異なる試験プレートの感度を示す。各試験プレートは異なる試薬で個別に準備され、異なる時間に試験される。達成される平均ＬＯＤは８ｐｐｂであり、ＥＰＡの対策レベルである１５ｐｐｂを下回っている。
【０１５６】
図Ｃ１０  水中鉛試験のアッセイ内、アッセイ間、および日毎のＣＶ％の表である。各試験のＬＯＤ付近、アッセイ内ＣＶ％約４％、アッセイ間ＣＶ％約４％、および日毎のＣＶ％約１．１％。
【０１５７】
要約すると、この例は、（１）感度：平均ＬＯＤ約８ｐｐｂを示す、水道水中の鉛濃度の試験を示す。すべての試験プレートは、ＥＰＡ標準（１５ｐｐｂ）を満たすＬＯＤを示し、達成された最高ＬＯＤは３．９ｐｐｂである。（２）再現性：ＬＯＤでのアッセイ内ＣＶ％約４％、ＬＯＤでのアッセイ間ＣＶ％約４％、およびＬＯＤでの日毎のＣＶ％約１．１％。
【０１５８】
Ｄ  ＱＭＡＸデバイスを使用した食品安全性およびアレルゲン試験
本発明の別の態様は、食品試料における安全性およびアレルゲン試験のためのデバイスおよび方法を提供する。
【０１５９】
上で要約したように、本発明のデバイス、システム、および方法は、食品マーカーの存在について、食品試料、例えば、生の食品、加工済み食品、調理済み食品、飲料水などの食品試料を分析する際に使用され得る。食品マーカーは、捕捉剤で構成されるＣＲＯＦデバイス内の、食品マーカーに特異的に結合する捕捉剤によって捕捉され得る、以下の表Ｂ９に示すものなどの任意の適切なマーカーであってよい。環境試料は、水道水、飲料水、調理済み食品、加工済み食品または生の食品など、任意の適切な源から得ることができる。いくつかの実施形態では、試料中の食品マーカーの有無または定量的なレベルは、食品が消費された場合、対象に対する安全性または有害性を示し得る。いくつかの実施形態では、食品マーカーは、試料が得られた食品中の生物の存在を示す病原体または微生物に由来する物質である。いくつかの実施形態では、食品マーカーは、対象によって消費された場合、毒性または有害な物質である。いくつかの実施形態では、食品マーカーは、対象によって消費された場合、非意図的にまたは予想外に生理機能を変化させる可能性がある生物活性化合物である。いくつかの実施形態では、食品マーカーは、食品が得られた方法（栽培、調達、捕獲、収穫、加工、調理など）を示す。いくつかの実施形態では、食品マーカーは、食品の栄養含有量を示す。いくつかの実施形態では、食品マーカーは、試料が得られる食品が対象によって消費される場合、アレルギー反応を誘導する可能性があるアレルゲンである。
【０１６０】
いくつかの実施形態では、本発明のデバイス、システム、および方法は、食品マーカーの測定レベルを含む情報に基づいて試料が得られた食品を消費する対象の安全性または有害性を示すレポートを受信または提供することをさらに含む。消費食品の安全性を評価するために使用される情報には、食品マーカーの種類および測定量以外のデータが含まれ得る。これらの他のデータには、消費者に関連する任意の健康状態（アレルギー、妊娠、慢性または急性疾患、現在の処方薬など）が含まれ得る。
【０１６１】
レポートは、ＣＲＯＦデバイスを読み取るように構成されたデバイスによって生成され得るか、または食品マーカーの測定量を含むデータを送信したときに遠隔地で生成され得る。場合によっては、食品安全の専門家が遠隔地にいる場合があるか、または遠隔地に送信されたデータにアクセスし、データを分析または確認してレポートを生成してもよい。食品安全の専門家は、米国食品医薬品局（ＦＤＡ）またはＣＤＣなどの政府機関、大学などの研究機関、または民間企業の科学者または管理者であり得る。ある特定の実施形態では、食品安全の専門家は、デバイスによって送信されたデータおよび／または遠隔地で分析されたデータに基づいて、ユーザに指示または勧告を送信してもよい。
【０１６２】
食品マーカーのリストは表Ｄ１にある。本発明のいくつかの実施形態では、ＱＭＡＸデバイスを使用して、限定されないが、表Ｄ１に列記される食品マーカーを含む分析物の存在および／または量を検出する。
【０１６３】
（表Ｄ１）食品マーカー
2020507770.tif 000002
2020507770.tif 000003
2020507770.tif 000004
2020507770.tif 000005
【０１６４】
Ｅ．不明確な力で押圧された均一な試料厚さ
本明細書および２０１７年２月８日に出願された仮６２／４５６５０４（あらゆる目的のためにその全体が本明細書に組み込まれる）に記載されている不明確な力で押圧することにより均一な試料厚さを形成するデバイスまたは方法のいくつかの実施形態では。
【０１６５】
いくつかの実施形態では、不明確な力は、約０．０１ｋｇ、０．０５ｋｇ、０．１ｋｇ、０．２５ｋｇ、０．５ｋｇ、１ｋｇ、２．５ｋｇ、５ｋｇ、７．５ｋｇ、１０ｋｇ、２０ｋｇ、２５ｋｇ、３０ｋｇ、４０ｋｇ、５０ｋｇ、６０ｋｇ、７０ｋｇ、８０ｋｇ、１００ｋｇ、２００ｋｇ、またはこれらの値の任意の２つの間の範囲内、および０．５〜２ｋｇ、２〜５ｋｇ、５〜７．５ｋｇ、７．５〜１０ｋｇ、１０〜２０ｋｇ、２０〜４０ｋｇ、４０〜６０ｋｇ、または６０〜１００ｋｇの好ましい範囲である。
【０１６６】
いくつかの実施形態では、不明確な力は、例えば、親指と人差し指の間で物体をつまむか、または親指と人差し指の間で物体をつまんで擦ることにより、ヒトの手によって適用される。
【０１６７】
いくつかの実施形態では、手による押圧力は、約０．０５ｋｇ、０．１ｋｇ、０．２５ｋｇ、０．５ｋｇ、１ｋｇ、２．５ｋｇ、５ｋｇ、７．５ｋｇ、１０ｋｇ、２０ｋｇ、２５ｋｇ、３０ｋｇ、４０ｋｇ、５０ｋｇ、６０ｋｇ、またはこれらの値のいずれか２つの間の範囲、および０．５〜１ｋｇ、１〜２ｋｇ、２〜４ｋｇ、４〜６ｋｇ、６〜１０ｋｇ、１０〜２０ｋｇ、２０〜４０ｋｇ、または４０〜６０ｋｇの好ましい範囲である。
【０１６８】
いくつかの実施形態では、手による押圧は、０．０１ｋｇ／ｃｍ２、０．１ｋｇ／ｃｍ２、０．５ｋｇ／ｃｍ２、１ｋｇ／ｃｍ２、２ｋｇ／ｃｍ２、２．５ｋｇ／ｃｍ２、５ｋｇ／ｃｍ２、１０ｋｇ／ｃｍ２、２０ｋｇ／ｃｍ２、３０ｋｇ／ｃｍ２、４０ｋｇ／ｃｍ２、５０ｋｇ／ｃｍ２、６０ｋｇ／ｃｍ２、１００ｋｇ／ｃｍ２、１５０ｋｇ／ｃｍ２、２００ｋｇ／ｃｍ２、または値のいずれか２つの間の範囲内、および０．１ｋｇ／ｃｍ２〜０．５ｋｇ／ｃｍ２、０．５ｋｇ／ｃｍ２〜１ｋｇ／ｃｍ２、１ｋｇ／ｃｍ２〜５ｋｇ／ｃｍ２、または５ｋｇ／ｃｍ２〜１０ｋｇ／ｃｍ２の好ましい範囲の圧力を有する。
【０１６９】
本明細書で使用される場合、力の文脈における「不明確」という用語（例えば「不明確な押圧力」）は、
（ａ）力が適用される時に正確に知られていないか、正確に予測できない大きさを有する、
（ｂ）力の適用ごとに大きさが異なる、および
（ｃ）（ａ）および（ｃ）の力の不明確さ（すなわち、ばらつき）は、実際に適用される不明確な力の少なくとも２０％である力を指す。
【０１７０】
不明確な力は、例えば、親指と人差し指の間で物体をつまむか、または親指と人差し指の間で物体をつまんで擦ることにより、ヒトの手によって適用され得る。
【０１７１】
ＥＡ．不明確な力、ＩＧＳ＾４／ｈＥの指定
ＥＡ１．不明確な押圧力で押圧することによって、均一な所定の厚さを有する薄い流体試料層を形成するためのデバイスであって、
第１のプレートと、第２のプレートと、スペーサと、を備え、
ｉ．プレートが、異なる構成へと互いに相対的に移動可能であり、
ｉｉ．一方または両方のプレートが可撓性であり、
ｉｉｉ．プレートの各々が、流体試料と接触するための試料接触領域を有する内表面を備え、
ｉｖ．プレートの各々が、そのそれぞれの外表面に、プレートを一緒にさせる不明確な押圧力を適用するための力領域を備え、
ｖ．プレートの一方または両方が、それぞれのプレートの内表面上に恒久的に固定されるスペーサを備え、
ｖｉ．スペーサが、２００ミクロン以下の所定の実質的に均一な高さ、および所定の固定されたスペーサ間距離を有し、
ｖｉｉ．可撓性のプレートの厚さ（ｈ）およびヤング率（Ｅ）で割ったスペーサ間距離（ＩＤＳ）の４乗（ＩＳＤ４／（ｈＥ））が、５×１０６ｕｍ３／ＧＰａ以下であり、
ｖｉｉｉ．スペーサの少なくとも１つが、試料接触領域内にあり、
構成の１つは開放構成であり、開放構成では、２つのプレートが部分的または完全に分離され、プレート間の間隔がスペーサによって調節されず、試料が、プレートの一方または両方に付着し、
構成のもう１つは、開放構成において試料が付着した後に構成される閉鎖構成であり、プレートは、力領域に不明確な押圧力を適用することにより閉鎖構成にさせられ、閉鎖構成では、試料の少なくとも一部が、２つのプレートによって非常に均一な厚さの層に圧縮され、プレートに対して実質的に留まり、層の均一な厚さが、２つのプレートの試料接触領域によって限定され、プレートおよびスペーサによって調節される、デバイス。
【０１７２】
ＥＡ２．不明確な押圧力で押圧することによって、均一な所定の厚さを有する薄い流体試料層を形成する方法であって、
第１のプレートと、第２のプレートと、スペーサと、を取得するステップであって、
ｉ．プレートが、異なる構成へと互いに相対的に移動可能であり、
ｉｉ．一方または両方のプレートが可撓性であり、
ｉｉｉ．プレートの各々が、流体試料と接触するための試料接触領域を有する内表面を備え、
ｉｖ．プレートの各々が、そのそれぞれの外表面に、プレートを一緒にさせる不明確な押圧力を適用するための力領域を備え、
ｖ．プレートの一方または両方が、それぞれのプレートの内表面上に恒久的に固定されるスペーサを備え、
ｖｉ．スペーサが、２００ミクロン以下の所定の実質的に均一な高さ、および所定の固定されたスペーサ間距離を有し、
ｖｉｉ．可撓性のプレートの厚さ（ｈ）およびヤング率（Ｅ）で割ったスペーサ間距離（ＩＤＳ）の４乗（ＩＳＤ４／（ｈＥ））が、５×１０６ｕｍ３／ＧＰａ以下であり、
ｖｉｉｉ．スペーサの少なくとも１つが、試料接触領域内にある、取得するステップと、
（ｂ）流体試料を取得するステップと、
（ｃ）プレートが開放構成に構成されているときに、試料をプレートの一方または両方に付着させるステップであって、開放構成が、２つのプレートが部分的または完全に分離され、プレート間の間隔がスペーサによって調節されない構成である、付着させるステップと、
（ｄ）（ｃ）の後、２つのプレートを使用して、試料の少なくとも一部を、プレートの試料接触表面によって画定される実質的に均一な厚さの層に圧縮するステップであって、層の均一な厚さがスペーサおよびプレートによって調節され、圧縮が、
２つのプレートを一緒にし、
平行してまたは順次のいずれかで、プレートの少なくとも一方の領域を適合押圧して、プレートを一緒に閉鎖構成へと押圧することを含み、適合押圧が、試料の少なくとも一部にわたってプレート上に実質的に均一な圧力を生じさせ、押圧が、プレートの試料接触表面間で試料の少なくとも一部を横方向に広げ、閉鎖構成が、均一な厚さ領域の層におけるプレート間の間隔がスペーサによって調節される構成であり、試料の厚さの低減が、収容部位にある試薬を試料と混合する時間を短縮し、
２つのプレートを閉鎖構成へと押圧する力が、ヒトの手によって提供される不明確な押圧力である、圧縮するステップと、を含む、方法。
【０１７３】
ＥＢ．手による押圧、スペーサ硬度−接触領域製品の指定
ＥＢ１．不明確な力で押圧することによって、均一な所定の厚さを有する薄い流体試料層を形成するためのデバイスであって、
第１のプレートと、第２のプレートと、スペーサと、を備え、
ｉ．プレートが、異なる構成へと互いに相対的に移動可能であり、
ｉｉ．一方または両方のプレートが可撓性であり、
ｉｉｉ．プレートの各々が、そのそれぞれの内表面上に、流体試料と接触するおよび／またはそれを圧縮するための試料接触領域を備え、
ｉｖ．プレートの各々が、そのそれぞれの外表面上に、プレートを一緒にさせる力を適用するための領域を備え、
ｖ．プレートの一方または両方が、それぞれのプレートの内表面上に恒久的に固定されるスペーサを備え、
ｖｉ．スペーサが、２００ミクロン以下の所定の実質的に均一な高さ、所定の幅、および所定のスペーサ間距離を有し、
ｖｉｉ．スペーサ間距離とスペーサ幅との比率が１．５以上であり、
ｖｉｉｉ．スペーサの少なくとも１つが、試料接触領域内にあり、
構成の１つは開放構成であり、開放構成では、２つのプレートが部分的または完全に分離され、プレート間の間隔がスペーサによって調節されず、試料が、プレートの一方または両方に付着し、
構成のもう１つは、開放構成において試料が付着した後に構成される閉鎖構成であり、閉鎖構成では、試料の少なくとも一部が、２つのプレートによって非常に均一な厚さの層に圧縮され、プレートに対して実質的に留まり、層の均一な厚さが、２つのプレートの試料接触領域によって限定され、プレートおよびスペーサによって調節され、
２つのプレートを閉鎖構成へと押圧する力が、ヒトの手によって提供される不明確な押圧力である、圧縮するステップと、を含む、方法。
【０１７４】
ＥＢ２．不明確な押圧力で押圧することによって、均一な所定の厚さを有する薄い流体試料層を形成する方法であって、
第１のプレートと、第２のプレートと、スペーサと、を取得するステップであって、
ｉ．プレートが、異なる構成へと互いに相対的に移動可能であり、
ｉｉ．一方または両方のプレートが可撓性であり、
ｉｉｉ．プレートの各々が、そのそれぞれの内表面上に、流体試料と接触するおよび／またはそれを圧縮するための試料接触領域を備え、
ｉｖ．プレートの各々が、そのそれぞれの外表面上に、プレートを一緒にさせる力を適用するための領域を備え、
ｖ．プレートの一方または両方が、それぞれのプレートの内表面上に恒久的に固定されるスペーサを備え、
ｖｉ．スペーサが、２００ミクロン以下の所定の実質的に均一な高さ、所定の幅、および所定のスペーサ間距離を有し、
ｖｉｉ．スペーサ間距離とスペーサ幅との比率が１．５以上であり、
ｖｉｉｉ．スペーサの少なくとも１つが、試料接触領域内にある、取得するステップと、
（ｂ）流体試料を取得するステップと、
（ｃ）プレートが開放構成に構成されているときに、試料をプレートの一方または両方に付着させるステップであって、開放構成が、２つのプレートが部分的または完全に分離され、プレート間の間隔がスペーサによって調節されない構成である、付着させるステップと、
（ｄ）（ｃ）の後、２つのプレートを使用して、試料の少なくとも一部を、プレートの試料接触表面によって画定される実質的に均一な厚さの層に圧縮するステップであって、層の均一な厚さがスペーサおよびプレートによって調節され、圧縮が、
２つのプレートを一緒にし、
平行してまたは順次のいずれかで、プレートの少なくとも一方の領域を適合押圧して、プレートを一緒に閉鎖構成へと押圧することを含み、適合押圧が、試料の少なくとも一部にわたってプレート上に実質的に均一な圧力を生じさせ、押圧が、プレートの試料接触表面間で試料の少なくとも一部を横方向に広げ、閉鎖構成が、均一な厚さ領域の層におけるプレート間の間隔がスペーサによって調節される構成であり、試料の厚さの低減が、収容部位にある試薬を試料と混合する時間を短縮し、
２つのプレートを閉鎖構成へと押圧する力が、ヒトの手によって提供される不明確な押圧力である、圧縮するステップと、を含む、方法。
【０１７５】
ＥＣ．手による押圧、ＩＤＳ／ｈＥおよびスペーサ硬度−接触領域製品の指定
ＥＣ１．不明確な力で押圧することによって、均一な所定の厚さを有する薄い流体試料層を形成するためのデバイスであって、
第１のプレートと、第２のプレートと、スペーサと、を備え、
ｉ．プレートが、異なる構成へと互いに相対的に移動可能であり、
ｉｉ．一方または両方のプレートが可撓性であり、
ｉｉｉ．プレートの各々が、そのそれぞれの内表面上に、流体試料と接触するおよび／またはそれを圧縮するための試料接触領域を備え、
ｉｖ．プレートの各々が、そのそれぞれの外表面上に、プレートを一緒にさせる力を適用するための領域を備え、
ｖ．プレートの一方または両方が、それぞれのプレートの内表面上に恒久的に固定されるスペーサを備え、
ｖｉ．スペーサが、２００ミクロン以下の所定の実質的に均一な高さ、所定の幅、および所定のスペーサ間距離を有し、
ｖｉｉ．スペーサ間距離とスペーサ幅との比率が１．５以上であり、
ｖｉｉｉ．スペーサの少なくとも１つが、試料接触領域内にあり、
構成の１つは開放構成であり、開放構成では、２つのプレートが部分的または完全に分離され、プレート間の間隔がスペーサによって調節されず、試料が、プレートの一方または両方に付着し、
構成のもう１つは、開放構成において試料が付着した後に構成される閉鎖構成であり、閉鎖構成では、試料の少なくとも一部が、２つのプレートによって非常に均一な厚さの層に圧縮され、プレートに対して実質的に留まり、層の均一な厚さが、２つのプレートの試料接触領域によって限定され、プレートおよびスペーサによって調節され、
２つのプレートを閉鎖構成へと押圧する力が、不明確であり、ヒトの手によって提供される、デバイス。
【０１７６】
ＥＣ２．不明確な押圧力で押圧することによって、均一な所定の厚さを有する薄い流体試料層を形成する方法であって、
第１のプレートと、第２のプレートと、スペーサと、を取得するステップであって、
ｉ．プレートが、異なる構成へと互いに相対的に移動可能であり、
ｉｉ．一方または両方のプレートが可撓性であり、
ｉｉｉ．プレートの各々が、そのそれぞれの内表面上に、流体試料と接触するおよび／またはそれを圧縮するための試料接触領域を備え、
ｉｖ．プレートの各々が、そのそれぞれの外表面上に、プレートを一緒にさせる力を適用するための領域を備え、
ｖ．プレートの一方または両方が、それぞれのプレートの内表面上に恒久的に固定されるスペーサを備え、
ｖｉ．スペーサが、２００ミクロン以下の所定の実質的に均一な高さ、所定の幅、および所定のスペーサ間距離を有し、
ｖｉｉ．スペーサ間距離とスペーサ幅との比率が１．５以上であり、
ｖｉｉｉ．スペーサの少なくとも１つが、試料接触領域内にあり、
（ｂ）流体試料を取得するステップと、
（ｃ）プレートが開放構成に構成されているときに、試料をプレートの一方または両方に付着させるステップであって、開放構成が、２つのプレートが部分的または完全に分離され、プレート間の間隔がスペーサによって調節されない構成である、付着させるステップと、
（ｄ）（ｃ）の後、２つのプレートを使用して、試料の少なくとも一部を、プレートの試料接触表面によって画定される実質的に均一な厚さの層に圧縮するステップであって、層の均一な厚さがスペーサおよびプレートによって調節され、圧縮が、
２つのプレートを一緒にし、
平行してまたは順次のいずれかで、プレートの少なくとも一方の領域を適合押圧して、プレートを一緒に閉鎖構成へと押圧することを含み、適合押圧が、試料の少なくとも一部にわたってプレート上に実質的に均一な圧力を生じさせ、押圧が、プレートの試料接触表面間で試料の少なくとも一部を横方向に広げ、閉鎖構成が、均一な厚さ領域の層におけるプレート間の間隔がスペーサによって調節される構成であり、試料の厚さの低減が、収容部位にある試薬を試料と混合する時間を短縮し、
２つのプレートを閉鎖構成へと押圧する力が、ヒトの手によって提供される不明確な押圧力である、圧縮するステップと、を含む、方法。
【０１７７】
ＥＤ．手による押圧、柱スペーサおよびＩＤＳ／Ｗの比率の指定
ＥＤ１．不明確な力で押圧することによって、均一な所定の厚さを有する薄い流体試料層を形成するためのデバイスであって、
第１のプレートと、第２のプレートと、スペーサと、を備え、
ｉ．プレートが、異なる構成へと互いに相対的に移動可能であり、
ｉｉ．一方または両方のプレートが可撓性であり、
ｉｉｉ．プレートの各々が、そのそれぞれの内表面上に、流体試料と接触するおよび／またはそれを圧縮するための試料接触領域を備え、
ｉｖ．プレートの各々が、そのそれぞれの外表面上に、プレートを一緒にさせる力を適用するための領域を備え、
ｖ．プレートの一方または両方が、それぞれのプレートの内表面上に恒久的に固定されるスペーサを備え、
ｖｉ．スペーサが、２００ミクロン以下の所定の実質的に均一な高さ、所定の幅、および所定のスペーサ間距離を有し、
ｖｉｉ．スペーサ間距離とスペーサ幅との比率が１．５以上であり、
ｖｉｉｉ．スペーサの少なくとも１つが、試料接触領域内にあり、
構成の１つは開放構成であり、開放構成では、２つのプレートが部分的または完全に分離され、プレート間の間隔がスペーサによって調節されず、試料が、プレートの一方または両方に付着し、
構成のもう１つは、開放構成において試料が付着した後に構成される閉鎖構成であり、閉鎖構成では、試料の少なくとも一部が、２つのプレートによって非常に均一な厚さの層に圧縮され、プレートに対して実質的に留まり、層の均一な厚さが、２つのプレートの試料接触領域によって限定され、プレートおよびスペーサによって調節され、
２つのプレートを閉鎖構成へと押圧する力が、不明確であり、ヒトの手によって提供される、デバイス。
【０１７８】
ＥＤ２．不明確な押圧力で押圧することによって、均一な所定の厚さを有する薄い流体試料層を形成する方法であって、
第１のプレートと、第２のプレートと、スペーサと、を取得するステップであって、
ｉ．プレートが、異なる構成へと互いに相対的に移動可能であり、
ｉｉ．一方または両方のプレートが可撓性であり、
ｉｉｉ．プレートの各々が、そのそれぞれの内表面上に、流体試料と接触するおよび／またはそれを圧縮するための試料接触領域を備え、
ｉｖ．プレートの各々が、そのそれぞれの外表面上に、プレートを一緒にさせる力を適用するための領域を備え、
ｖ．プレートの一方または両方が、それぞれのプレートの内表面上に恒久的に固定されるスペーサを備え、
ｖｉ．スペーサが、２００ミクロン以下の所定の実質的に均一な高さ、所定の幅、および所定のスペーサ間距離を有し、
ｖｉｉ．スペーサ間距離とスペーサ幅との比率が１．５以上であり、
ｖｉｉｉ．スペーサの少なくとも１つが、試料接触領域内にあり、
（ｂ）流体試料を取得するステップと、
（ｃ）プレートが開放構成に構成されているときに、試料をプレートの一方または両方に付着させるステップであって、開放構成が、２つのプレートが部分的または完全に分離され、プレート間の間隔がスペーサによって調節されない構成である、付着させるステップと、
（ｄ）（ｃ）の後、２つのプレートを使用して、試料の少なくとも一部を、プレートの試料接触表面によって画定される実質的に均一な厚さの層に圧縮するステップであって、層の均一な厚さがスペーサおよびプレートによって調節され、圧縮が、
２つのプレートを一緒にし、
平行してまたは順次のいずれかで、プレートの少なくとも一方の領域を適合押圧して、プレートを一緒に閉鎖構成へと押圧することを含み、適合押圧が、試料の少なくとも一部にわたってプレート上に実質的に均一な圧力を生じさせ、押圧が、プレートの試料接触表面間で試料の少なくとも一部を横方向に広げ、閉鎖構成が、均一な厚さ領域の層におけるプレート間の間隔がスペーサによって調節される構成であり、試料の厚さの低減が、収容部位にある試薬を試料と混合する時間を短縮し、
２つのプレートを閉鎖構成へと押圧する力が、ヒトの手によって提供される不明確な押圧力である、圧縮するステップと、を含む、方法。
【０１７９】
ＥＥ．体積決定、ＩＧＳ＾４／ｈＥの指定
ＥＥ１．ヒトの手によって提供される不明確な力で押圧することにより、適切な試料体積を決定するためのデバイスであって、
第１のプレートと、第２のプレートと、スペーサと、面積決定デバイスと、を備え、
ｉ．プレートが、異なる構成へと互いに相対的に移動可能であり、
ｉｉ．一方または両方のプレートが可撓性であり、
ｉｉｉ．プレートの各々が、そのそれぞれの内表面上に、測定される適切な体積を有する流体試料と接触するおよび／またはそれを圧縮するための試料接触領域を備え、
ｉｖ．プレートの各々が、そのそれぞれの外表面上に、プレートを一緒にさせる力を適用するための領域を備え、
ｖ．プレートの一方または両方が、それぞれのプレートの内表面上に恒久的に固定されるスペーサを備え、
ｖｉ．スペーサが、２００ミクロン以下の所定の実質的に均一な高さ、および所定の一定のスペーサ間距離を有し、
ｖｉｉ．可撓性のプレートの厚さ（ｈ）およびヤング率（Ｅ）で割ったスペーサ間距離（ＩＤＳ）の４乗（ＩＳＤ４／（ｈＥ））が、５×１０６ｕｍ３／ＧＰａ以下であり、
ｖｉｉｉ．スペーサの少なくとも１つが、試料接触領域内にあり、
ｉｘ．面積決定デバイスが、適切な体積の側面積を決定するように構成されており、
構成の１つは開放構成であり、開放構成では、２つのプレートが部分的または完全に分離され、プレート間の間隔がスペーサによって調節されず、試料が、プレートの一方または両方に付着し、
構成のもう１つは、開放構成において試料が付着した後に構成される閉鎖構成であり、閉鎖構成では、試料の少なくとも一部が、２つのプレートによって非常に均一な厚さの層に圧縮され、プレートに対して実質的に留まり、層の均一な厚さが、２つのプレートの試料接触領域によって限定され、プレートおよびスペーサによって調節され、
試料の適切な体積は、均一な厚さの層の部分的または全体的な体積であり、適切な体積の値は、均一な厚さおよび決定された側面積によって決定され、
２つのプレートを閉鎖構成へと押圧する力が、不明確であり、ヒトの手によって提供される、デバイス。
【０１８０】
面積決定デバイスがカメラである、先行する実施形態のいずれかに記載のデバイス。
＋面積決定デバイスは、プレートの試料接触領域内の面積を含み、この面積は、試料接触領域の１／１００、１／２０、１／１０、１／６、１／５、１／４、１／３、１／２、２／３未満、またはいずれかの２つの値間の範囲内である。
＋面積決定デバイスは、カメラと、プレートの試料接触領域内の面積と、を含み、この面積は試料と接触している。
【０１８１】
ＥＥ２．不明確な押圧力で押圧することによって、均一な所定の厚さを有する薄い流体試料層を形成する方法であって、
第１のプレートと、第２のプレートと、スペーサと、を取得するステップであって、
ｉ．プレートが、異なる構成へと互いに相対的に移動可能であり、
ｉｉ．一方または両方のプレートが可撓性であり、
ｉｉｉ．プレートの各々が、そのそれぞれの内表面上に、測定される適切な体積を有する流体試料と接触するおよび／またはそれを圧縮するための試料接触領域を備え、
ｉｖ．プレートの各々が、そのそれぞれの外表面上に、プレートを一緒にさせる力を適用するための領域を備え、
ｖ．プレートの一方または両方が、それぞれのプレートの内表面上に恒久的に固定されるスペーサを備え、
ｖｉ．スペーサが、２００ミクロン以下の所定の実質的に均一な高さ、および所定の一定のスペーサ間距離を有し、
ｖｉｉ．可撓性のプレートの厚さ（ｈ）およびヤング率（Ｅ）で割ったスペーサ間距離（ＩＤＳ）の４乗（ＩＳＤ４／（ｈＥ））が、５×１０６ｕｍ３／ＧＰａ以下であり、
ｖｉｉｉ．スペーサの少なくとも１つが、試料接触領域内にあり、
ｉｘ．面積決定デバイスが、適切な体積の側面積を決定するように構成されており、
（ｂ）流体試料を取得するステップと、
（ｃ）プレートが開放構成に構成されているときに、試料をプレートの一方または両方に付着させるステップであって、開放構成が、２つのプレートが部分的または完全に分離され、プレート間の間隔がスペーサによって調節されない構成である、付着させるステップと、
（ｄ）（ｃ）の後、２つのプレートを使用して、試料の少なくとも一部を、プレートの試料接触表面によって画定される実質的に均一な厚さの層に圧縮するステップであって、層の均一な厚さがスペーサおよびプレートによって調節され、圧縮が、
２つのプレートを一緒にし、
平行してまたは順次のいずれかで、プレートの少なくとも一方の領域を適合押圧して、プレートを一緒に閉鎖構成へと押圧することを含み、適合押圧が、試料の少なくとも一部にわたってプレート上に実質的に均一な圧力を生じさせ、押圧が、プレートの試料接触表面間で試料の少なくとも一部を横方向に広げ、閉鎖構成が、均一な厚さ領域の層におけるプレート間の間隔がスペーサによって調節される構成であり、試料の厚さの低減が、収容部位にある試薬を試料と混合する時間を短縮し、
２つのプレートを閉鎖構成へと押圧する力が、ヒトの手によって提供される不明確な押圧力である、圧縮するステップと、を含む、方法。
【０１８２】
ＥＦ．体積決定、ＩＧＳ＾４／ｈＥの指定
ＥＦ１．ヒトの手によって提供される不明確な力で押圧することにより、適切な試料体積を決定するためのデバイスであって、
第１のプレートと、第２のプレートと、スペーサと、面積決定デバイスと、を備え、
ｉ．プレートが、異なる構成へと互いに相対的に移動可能であり、
ｉｉ．一方または両方のプレートが可撓性であり、
ｉｉｉ．プレートの各々が、そのそれぞれの内表面上に、測定される適切な体積を有する流体試料と接触するおよび／またはそれを圧縮するための試料接触領域を備え、
ｉｖ．プレートの各々が、そのそれぞれの外表面上に、プレートを一緒にさせる力を適用するための領域を備え、
ｖ．プレートの一方または両方が、それぞれのプレートの内表面上に恒久的に固定されるスペーサを備え、
ｖｉ．スペーサが、２００ミクロン以下の所定の実質的に均一な高さ、および所定の一定のスペーサ間距離を有し、
ｖｉｉ．可撓性のプレートの厚さ（ｈ）およびヤング率（Ｅ）で割ったスペーサ間距離（ＩＤＳ）の４乗（ＩＳＤ４／（ｈＥ））が、５×１０６ｕｍ３／ＧＰａ以下であり、
ｖｉｉｉ．スペーサの少なくとも１つが、試料接触領域内にあり、
ｉｘ．面積決定デバイスが、適切な体積の側面積を決定するように構成されており、
構成の１つは開放構成であり、開放構成では、２つのプレートが部分的または完全に分離され、プレート間の間隔がスペーサによって調節されず、試料が、プレートの一方または両方に付着し、
構成のもう１つは、開放構成において試料が付着した後に構成される閉鎖構成であり、閉鎖構成では、試料の少なくとも一部が、２つのプレートによって非常に均一な厚さの層に圧縮され、プレートに対して実質的に留まり、層の均一な厚さが、２つのプレートの試料接触領域によって限定され、プレートおよびスペーサによって調節され、
試料の適切な体積は、均一な厚さの層の部分的または全体的な体積であり、適切な体積の値は、均一な厚さおよび決定された側面積によって決定され、
２つのプレートを閉鎖構成へと押圧する力が、不明確であり、ヒトの手によって提供される、デバイス。
【０１８３】
ＥＦ２．不明確な押圧力で押圧することによって、均一な所定の厚さを有する薄い流体試料層を形成する方法であって、
第１のプレートと、第２のプレートと、スペーサと、を取得するステップであって、
ｉ．プレートが、異なる構成へと互いに相対的に移動可能であり、
ｉｉ．一方または両方のプレートが可撓性であり、
ｉｉｉ．プレートの各々が、そのそれぞれの内表面上に、測定される適切な体積を有する流体試料と接触するおよび／またはそれを圧縮するための試料接触領域を備え、
ｉｖ．プレートの各々が、そのそれぞれの外表面上に、プレートを一緒にさせる力を適用するための領域を備え、
ｖ．プレートの一方または両方が、それぞれのプレートの内表面上に恒久的に固定されるスペーサを備え、
ｖｉ．スペーサが、２００ミクロン以下の所定の実質的に均一な高さ、および所定の一定のスペーサ間距離を有し、
ｖｉｉ．可撓性のプレートの厚さ（ｈ）およびヤング率（Ｅ）で割ったスペーサ間距離（ＩＤＳ）の４乗（ＩＳＤ４／（ｈＥ））が、５×１０６ｕｍ３／ＧＰａ以下であり、
ｖｉｉｉ．スペーサの少なくとも１つが、試料接触領域内にあり、
ｉｘ．面積決定デバイスが、適切な体積の側面積を決定するように構成されており、
（ｂ）流体試料を取得するステップと、
（ｃ）プレートが開放構成に構成されているときに、試料をプレートの一方または両方に付着させるステップであって、開放構成が、２つのプレートが部分的または完全に分離され、プレート間の間隔がスペーサによって調節されない構成である、付着させるステップと、
（ｄ）（ｃ）の後、２つのプレートを使用して、試料の少なくとも一部を、プレートの試料接触表面によって画定される実質的に均一な厚さの層に圧縮するステップであって、層の均一な厚さがスペーサおよびプレートによって調節され、圧縮が、
２つのプレートを一緒にし、
平行してまたは順次のいずれかで、プレートの少なくとも一方の領域を適合押圧して、プレートを一緒に閉鎖構成へと押圧することを含み、適合押圧が、試料の少なくとも一部にわたってプレート上に実質的に均一な圧力を生じさせ、押圧が、プレートの試料接触表面間で試料の少なくとも一部を横方向に広げ、閉鎖構成が、均一な厚さ領域の層におけるプレート間の間隔がスペーサによって調節される構成であり、試料の厚さの低減が、収容部位にある試薬を試料と混合する時間を短縮し、
２つのプレートを閉鎖構成へと押圧する力が、ヒトの手によって提供される不明確な押圧力である、圧縮するステップと、を含む、方法。
【０１８４】
ＥＧ．追加
「不明確な力」という用語は、完全に未知であるか、大きさの範囲においてのみ既知であるが特定の大きさの値においては既知ではない（大きさの範囲は範囲の最小値から最大値まで少なくとも２０％異なる）か、または力が適用される時点では予測不能な大きさを有する力を指す。不明確な力の例には、不明確な力の大きさが、力の適用ごとに異なり得る、力が適用される領域にわたって不均一であり得る、および力が適用されている時間にわたって異なり得ることが含まれる。不明確な力は、適用時に測定される必要はない。
【０１８５】
変形可能な試料が流体試料である、先行する実施形態のいずれかに記載のデバイスまたは方法。
【０１８６】
変形可能な試料が液体試料である、先行する実施形態のいずれかに記載のデバイスまたは方法。
【０１８７】
不明確な力が、実際に適用される不明確な力の少なくとも３０％のばらつきを有する、先行する実施形態のいずれかに記載のデバイスまたは方法。
【０１８８】
不明確な力が、実際に適用される不明確な力の少なくとも２０％、３０％、４０％、５０％、６０、７０％、８０％、９０％  １００％、１５０％、２００％、３００％、５００％、または任意の２つの値の範囲内のばらつきを有する、先行する実施形態のいずれかに記載のデバイスまたは方法。
【０１８９】
１．スペーサが平坦な上部を有する、先行する実施形態のいずれかに記載のデバイス。
【０１９０】
２．デバイスが、押圧力が取り除かれた後、力が適用されたときと実質的に同じ厚さおよび均一性である試料厚さを有するようにさらに構成されている、先行する実施形態のいずれかに記載のデバイス。
【０１９１】
３．不明確な力が、ヒトの手によって提供される、先行する実施形態のいずれかに記載のデバイス。
【０１９２】
４．スペーサ間距離が、実質的に一定である、先行する実施形態のいずれかに記載のデバイス。
【０１９３】
５．スペーサ間距離が、均一な試料厚さ領域の領域において実質的に周期的である、先行する実施形態のいずれかに記載のデバイス。
【０１９４】
６．充填率とスペーサのヤング率の乗算積が、２ＭＰａ以上である、先行する実施形態のいずれかに記載のデバイス。
【０１９５】
７．力が、直接的または間接的に手で適用される、先行する実施形態のいずれかに記載のデバイス。
【０１９６】
８．適用される力が、５Ｎ〜２０Ｎの範囲である、先行する実施形態のいずれかに記載のデバイス。
【０１９７】
９．非常に均一な層が、平均厚さの１５％、１０％、または５％未満異なる厚さを有する、先行する実施形態のいずれかに記載のデバイス。
【０１９８】
１０．デバイスを親指と人差し指でつまむことにより不明確な力が適用される、先行する実施形態のいずれかに記載のデバイス。
【０１９９】
１１．所定の試料厚さが、スペーサの高さよりも大きい、先行する実施形態のいずれかに記載のデバイス。
【０２００】
１２．押圧力が取り除かれた後に、デバイスがそれ自体を閉鎖構成に保持する、先行する実施形態のいずれかに記載のデバイス。
【０２０１】
１３．均一な厚さの試料層の面積が、押圧力が適用されるその面積よりも大きい、先行する実施形態のいずれかに記載のデバイス。
【０２０２】
１４．スペーサが、押圧力の適用中に著しく変形しない、先行する実施形態のいずれかに記載のデバイス。
【０２０３】
１５．押圧力が、事前に予め決定されず、かつ測定されない、先行する実施形態のいずれかに記載のデバイス。
【０２０４】
Ｆ．同じプレート上の結合部位および収容部位
本発明の別の態様は、結合部位および収容部位が同じプレート上にある、つまり、捕捉剤および第２の剤の両方が同じプレート上にコーティングされているＱＭＡＸデバイスを使用する生／化学的アッセイのためのデバイスおよび方法を提供する。
【０２０５】
ＦＡ１．試料をアッセイするための方法であって、
（ａ）そのそれぞれの内表面上に、標的分析物を含む試料と接触するための試料接触領域を備える、第１のプレートを得ることと、
（ｂ）アッセイ領域を備える試料接触領域を備える第２のプレートを得ることであって、アッセイ領域が、
（ｉ）試料中の標的分析物に結合する固定化された捕捉剤、および
（ｉｉ）試料と接触すると、試料中に拡散することができる第２の剤を含み、
第１のプレートおよび第２のプレートが、開放および閉鎖構成を含む異なる構成へと互いに相対的に移動可能である、得ることと、
（ｃ）開放構成において、プレートの試料接触領域の一方または両方に試料を付着させることであって、開放構成では、プレートの試料接触領域が２００  ｕｍよりも大きく分離されることと、
（ｄ）（ｃ）の後、２つのプレートを閉鎖構成にすることであって、閉鎖構成では、（ｃ）で付着させた試料の少なくとも一部が、２つのプレートの試料接触領域の間に限定され、０．０１〜２００μｍの範囲の平均厚さを有する、閉鎖構成にすることと、
（ｅ）結合部位に捕捉される分析物に関連する信号を検出することと、を含む、方法。
【０２０６】
ＦＢ１．競合アッセイを行うためのデバイスであって、
そのそれぞれの内表面上に、標的分析物を含む試料と接触するための試料接触領域を備える、第１のプレートと、
アッセイ領域を備える試料接触領域を備える第２のプレートであって、アッセイ領域が、
（ｉ）試料中の標的分析物に結合する固定化された捕捉剤、および
（ｉｉ）試料と接触すると、試料中に拡散することができる第２の剤を含み、
第１のプレートおよび第２のプレートは、異なる構成へと互いに相対的に移動可能であり、
構成の１つは開放構成であり、開放構成では、プレートが部分的または全体的に分離され、プレートの試料接触領域間の平均間隔が３００ｕｍよりも大きく、
別の構成は閉鎖構成であり、閉鎖構成では、プレートの試料接触領域間の平均間隔が２００μｍ以下である、デバイス。
【０２０７】
捕捉剤および第２の剤が、２つのプレートの試料接触領域間の平均間隔よりも少なくとも２倍小さい距離分離される、先行する実施形態のいずれかに記載の方法またはデバイス。
【０２０８】
捕捉剤および第２の剤が、２つのプレートの試料接触領域間の平均間隔よりも少なくとも２倍、３倍、５倍、１０倍、２０倍、３０倍、５０倍、１００倍、２００倍、３００倍、５００倍、１０００倍、２０００倍、５０００倍、１００００倍、５０００倍、またはいずれかの２つの値の範囲の距離分離される、先行する実施形態のいずれかに記載の方法またはデバイス。
【０２０９】
捕捉剤により捕捉された分析物に関連する信号が、（ｉ）捕捉剤により捕捉された分析物、（ｉｉ）結合部位により捕捉された分析物に付着した標識、または（ｉｉｉ）（ｉ）および（ｉｉ）の両方から生じる信号である、先行する実施形態のいずれかに記載の方法またはデバイス。
【０２１０】
試料接触領域の一方または両方がスペーサを備え、プレートが閉構成にあるときに、スペーサが、プレートの試料接触領域間の間隔を調節する、先行する実施形態のいずれかに記載の方法またはデバイス。
【０２１１】
プレートが閉鎖構成にあるときに、試料接触領域間の間隔が、スペーサによって調節される、先行する実施形態のいずれかに記載の方法。
【０２１２】
プレートが閉構成にあるときに、デバイスが、試料接触領域間の間隔を調節するスペーサをさらに備える、先行する実施形態のいずれかに記載のデバイス。
【０２１３】
収容部位が、別の試薬をさらに含む、先行する実施形態のいずれかに記載の方法またはデバイス。
【０２１４】
結合部位が、固定化された捕捉剤に加えて、試料と接触すると試料中に拡散することができる別の試薬を含む、先行する実施形態のいずれかに記載の方法またはデバイス。
【０２１５】
信号の検出が、電気的、光学的、またはその両方である、先行する実施形態のいずれかに記載の方法またはデバイス。（検出については後で追加。蛍光、ＳＰＲなど）。
【０２１６】
試料が、血液試料（全血、血漿、または血清）である、先行する実施形態のいずれかに記載の方法またはデバイス。
【０２１７】
蛍光ミクロスフェアの材料が誘電体（例えば、ＳｉＯ２、ポリスチレン）、またはその誘電体材料の組み合わせである、先行する実施形態のいずれかに記載の方法またはデバイス。
【０２１８】
蛍光標識の検出剤を第１のプレートに添加して競合剤を結合するステップを含む、先行する実施形態のいずれかに記載の方法またはデバイス。
【０２１９】
検出剤が添加された後に洗浄するステップを含む、先行する実施形態のいずれかに記載の方法またはデバイス。
【０２２０】
本明細書に組み込まれるこれらの出願の実施形態は、個別の独立した出願ではなく、互いに組み合わせて、または単一の発明とみなすことができる。
【０２２１】
さらに、本明細書に開示される例示的なアッセイレシピは、限定されないが、生／化学アッセイ、ＱＭＡＸカードおよびシステム、ヒンジ、ノッチ、陥凹端部、およびスライダ付きＱＭＡＸ、均一な試料厚さのアッセイおよびデバイス、スマートフォン検出システム、クラウドコンピューティングの設計、様々な検出方法、標識、捕捉剤および検出剤、分析物、疾患、用途、および試料を含む実施形態に適用可能であり、様々な実施形態が、前述の出願において開示、説明、および／または言及されており、それらはすべて、それらの全体が参照により本明細書に組み込まれる。
【０２２２】
他の実施形態
本発明は、様々な構成要素が互いに矛盾しない限り、複数の方法で組み合わせることができる様々な実施形態を含む。実施形態は、単一の発明出願とみなされるべきであり、各出願は、個別に独立しているものとしてではなく、参考文献として他の出願を有し、その全体およびすべての目的のためにも参照される。これらの実施形態は、現在の出願の開示だけでなく、本明細書で参照されるか、組み込まれるか、または優先権が主張される文書も含む。
【０２２３】
（１）定義
本明細書で開示されるデバイス、システム、および方法の説明に使用される用語は、現在の出願、またはそれぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において定義されている。
【０２２４】
「ＣＲＯＦカード（ＣＲＯＦ  Ｃａｒｄ）（またはカード（ｃａｒｄ））」、「ＣＯＦカード」、「ＱＭＡＸカード」、「Ｑカード」、「ＣＲＯＦデバイス」、「ＣＯＦデバイス」、「ＱＭＡＸデバイス」、「ＣＲＯＦプレート」、「ＣＯＦプレート」、および「ＱＭＡＸプレート」という用語は、交換可能であるが、例外として、いくつかの実施形態では、ＣＯＦカードはスペーサを備えておらず、また、これらの用語は、異なる構成（開放構成および閉鎖構成を含む）へと互いに相対的に移動可能な第１のプレートと、第２のプレートと、を備え、かつプレート間の間隔を調節するスペーサ（ＣＯＦカードのいくつかの実施形態を除く）を備えるデバイスを指す。「Ｘプレート」という用語は、ＣＲＯＦカードの２つのプレートのうちの１つを指し、スペーサはこのプレートに固定されている。ＣＯＦカード、ＣＲＯＦカード、およびＸプレートのさらなる説明は、２０１７年２月７日に出願された仮出願第６２／４５６０６５号に記載されており、すべての目的のためにその全体が本明細書に組み込まれる。
【０２２５】
（２）Ｑカード、スペーサ、および均一な試料厚さ
本明細書で開示されるデバイス、システム、および方法は、試料の検出、分析、および定量化のために、Ｑカード、スペーサ、および均一な試料厚さの実施形態を含むか、または使用することができる。いくつかの実施形態では、Ｑカードは、試料の少なくとも一部を非常に均一性の層にするのに役立つスペーサを備える。スペーサの構造、材料、機能、変形、および寸法、ならびにスペーサおよび試料層の均一性は、本明細書に開示されるか、またはそれぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において列記、記載、および要約されている。
【０２２６】
（３）ヒンジ、開口ノッチ、陥凹端部、およびスライダ
本明細書で開示されるデバイス、システム、および方法は、試料の検出、分析、および定量化のために、Ｑカードを含むか、または使用することができる。いくつかの実施形態では、Ｑカードは、Ｑカードの操作および試料の測定を容易にするのに役立つヒンジ、ノッチ、陥凹、およびスライダを備える。ヒンジ、ノッチ、陥凹、およびスライダの構造、材料、機能、変形、および寸法は、本明細書に開示されるか、またはそれぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において列記、記載、および要約されている。
【０２２７】
ＱＭＡＸのいくつかの実施形態では、プレートの一方または両方の試料接触領域は、ＣＯＦ後にどれだけのフローが発生したかを監視するように構成されている圧縮オープンフロー監視表面構造（ＭＳＳ）を備える。例えば、いくつかの実施形態では、ＭＳＳは、試料中の成分（例えば、血液中の血球）に摩擦を引き起こす浅い正方形のアレイを備える。試料のいくつかの成分の分布を確認することにより、ＣＯＦ下で試料およびその成分のフローに関連する情報を得ることができる。
【０２２８】
ＭＳＳの深さは、突出またはウェルのいずれかの形態で、スペーサの高さの１／１０００、１／１００、１／１００、１／５、１／２、または任意の２つの値の範囲であり得る。
【０２２９】
（４）Ｑカード、スライダ、およびスマートフォン検出システム
本明細書で開示されるデバイス、システム、および方法は、試料の検出、分析、および定量化のために、Ｑカードを含むか、または使用することができる。いくつかの実施形態では、Ｑカードは、カードがスマートフォン検出システムによって読み取られることを可能にするスライダとともに使用される。Ｑカード、スライダ、およびスマートフォン検出システムの構造、材料、機能、変形、寸法、および接続は、本明細書に開示されるか、またはそれぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において列記、記載、および要約されている。
【０２３０】
（５）検出方法
本明細書で開示されるデバイス、システム、および方法は、様々な種類の検出方法を含むか、または様々な種類の検出方法において使用され得る。検出方法は、本明細書に開示されるか、またはそれぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において列記、記載、および要約されている。
【０２３１】
（６）標識、捕捉剤、および検出剤
本明細書で開示されるデバイス、システム、および方法は、分析物検出に使用される様々な種類の標識、捕捉剤、および検出剤を用いることができる。標識は、本明細書に開示されるか、またはそれぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において列記、記載、および要約されている。
【０２３２】
（７）分析物
本明細書に開示されるデバイス、システム、および方法は、様々な種類の分析物（バイオマーカーを含む）の操作および検出に適用することができる。分析物およびは、本明細書に開示されるか、またはそれぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において列記、記載、および要約されている。
【０２３３】
（８）用途（分野および試料）
本明細書で開示されるデバイス、システム、および方法は、様々な用途（分野および試料）に使用することができる。用途は、本明細書に開示されるか、またはそれぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において列記、記載、および要約されている。
【０２３４】
（９）クラウド
本明細書で開示されるデバイス、システム、および方法は、データの転送、保存、および／または分析のためにクラウド技術を用いることができる。関連クラウド技術は、本明細書に開示されるか、またはそれぞれ２０１６年８月１０日および２０１６年９月１４日に出願されたＰＣＴ出願（米国指定）第ＰＣＴ／ＵＳ２０１６／０４５４３７号および第ＰＣＴ／ＵＳ０２１６／０５１７７５号、２０１７年２月７日に出願された米国仮出願第６２／４５６０６５号、２０１７年２月８日に出願された米国仮出願第６２／４５６２８７号、ならびに２０１７年２月８日に出願された米国仮出願第６２／４５６５０４号（これらの出願のすべてはすべての目的のためにそれらの全体が本明細書に組み込まれる）において列記、記載、および要約されている。
【０２３５】
追加の留意点
本開示による本発明の主題のさらなる例は、以下に列挙される段落に記載される。
【０２３６】
本明細書および添付の特許請求の範囲で使用されるように、単数形「１つの（ａ）」、「１つの（ａｎ）」、および「その（ｔｈｅ）」は、例えば、「単一」という語が使用される場合、文脈が別様に明確に指示しない限り、複数の指示対象を含むことに留意しなければならない。例えば、「分析物」への言及は単一の分析物および複数の分析物を含み、「捕捉剤」への言及は単一の捕捉剤および複数の捕捉剤を含み、「検出剤」への言及は単一の検出剤および複数の検出剤を含み、「剤」への言及には、単一の剤および複数の剤を含む。
【０２３７】
本明細書で使用される「適応された」および「構成された」という用語は、要素、構成要素、または他の主題が所与の機能を実行するように設計および／または意図されることを意味する。したがって、「適応された」および「構成された」という用語の使用は、所与の要素、構成要素、または他の主題が所与の機能を単に実行する「ことができる」ことを意味すると解釈されるべきではない。同様に、特定の機能を実行するように構成されていると列挙されている主題は、加えてまたは代替として、その機能を実行するように作動するものとして説明され得る。
【０２３８】
本明細書で使用される、「例えば」という語句、「例として」という語句、ならびに／または単に「例」および「例示」という用語は、本開示による１つ以上の構成要素、特徴、詳細、構造、実施形態、および／または方法に関して使用される場合、記載される構成要素、特徴、詳細、構造、実施形態、および／または方法が、本開示による構成要素、特徴、詳細、構造、実施形態、および／または方法の例示的で非排他的な例であることを伝えることを意図している。したがって、説明される構成要素、機能、詳細、構造、実施形態、および／または方法は、限定的、必須、または排他的／網羅的であることを意図しておらず、構造的および／または機能的に類似および／または同等の構成要素、機能、詳細、構造、実施形態、および／または方法を含む他の構成要素、機能、詳細、構造、実施形態、および／または方法も、本開示の範囲内である。
【０２３９】
本明細書で使用される、２つ以上の実体のリストに関して「〜の少なくとも１つ」および「〜の１つ以上」という語句は、実体のリスト内の実体の任意の１つ以上を意味し、実体のリスト内に具体的に列記されているあらゆる実体の少なくとも１つに限定されない。例えば、「ＡおよびＢの少なくとも１つ」（または、同等に「ＡまたはＢの少なくとも１つ」、または同等に「Ａおよび／またはＢの少なくとも１つ」）は、Ａのみ、Ｂのみ、またはＡおよびＢの組み合わせを指す場合がある。
【０２４０】
本明細書で使用される、第１の実体と第２の実体との間に置かれる「および／または」という用語は、（１）第１の実体、（２）第２の実体、ならびに（３）第１の実体および第２の実体の１つを意味する。「および／または」により列記された複数の実体は、同じように、つまり、そのように結合された実体の「１つ以上」と解釈されるべきである。具体的に特定されたそれらの実体に関連するか無関係であるかにかかわらず、「および／または」節で具体的に特定された実体以外に、他の実体が任意選択で存在する場合がある。
【０２４１】
数値範囲が本明細書で言及される場合、本発明は、エンドポイントが含まれる実施形態、両方のエンドポイントが除外される実施形態、および一方のエンドポイントが含まれ他方が除外される実施形態を含む。特に指定のない限り、両方のエンドポイントが含まれると想定するべきである。さらに、特に指示のない限り、または文脈および当業者の理解から明白でない限り。
【０２４２】
任意の特許、特許出願、または他の参考文献が、参照により本明細書に組み込まれ、かつ（１）本開示の組み込まれていない部分または他の組み込まれた参考文献のいずれかと矛盾する方法で用語を定義する場合、および／または（２）本開示の組み込まれない部分または他の組み込まれた参考文献のいずれかと別様に矛盾する場合、本開示の組み込まれていない部分が優先するものとし、本明細書における用語または組み込まれた開示は、その用語が定義されている、および／または組み込まれた開示が元々存在していた参考文献に関してのみ優先するものとする。
【図１−Ａ】
2020507770.tif 000006
【図１−Ｂ】
2020507770.tif 000007
【図１−Ｃ】
2020507770.tif 000008
【図１−Ｄ】
2020507770.tif 000009
【図１−Ｅ】
2020507770.tif 000010
【図１−Ｆ】
2020507770.tif 000011
【図１−Ｇ】
2020507770.tif 000012
【図２−Ａ】
2020507770.tif 000013
【図２−Ｂ】
2020507770.tif 000014
【図２−Ｃ】
2020507770.tif 000015
【図２−Ｄ】
2020507770.tif 000016
【図３】
2020507770.tif 000017
【図４】
2020507770.tif 000018
【図５−Ａ】
2020507770.tif 000019
【図５−Ｂ】
2020507770.tif 000020
【図６】
2020507770.tif 000021
【図７】
2020507770.tif 000022
【図８】
2020507770.tif 000023
【図９】
2020507770.tif 000024
【図１０】
2020507770.tif 000025
【図１１】
2020507770.tif 000026
【図１２】
2020507770.tif 000027